(57)【特許請求の範囲】
【請求項１】
印刷対象物であるテープのテープ幅Ｔｗを超えた印刷を回避するための超幅印刷回避領域が、前記テープの幅方向両端部に印刷回避幅ｄとなるように設けられ、前記テープ幅Ｔｗの前記印刷回避幅ｄを除く部分を印刷対象幅ｐ（ｐ＝Ｔｗ−２ｄ）として、前記テープの印刷対象幅ｐの印刷対象領域に印刷画像を印刷するテープ印刷装置の画像印刷方法であって、
任意のテープを前記印刷対象物として装着するテープ装着工程と、
装着されたテープの前記印刷回避幅ｄおよび前記印刷対象幅ｐを決定する印刷対象幅決定工程と、
任意のラベル幅Ｌｗを設定するラベル幅設定工程と、
前記ラベル幅Ｌｗ、前記印刷回避幅ｄおよび前記印刷対象幅ｐに基づいて、印刷結果のテープの有用部分と無用部分との境界線を示す１種以上の境界マークを、印刷画像に付加する境界マーク付加工程と、
前記１種以上の境界マークが付加された印刷画像を前記テープに印刷する印刷工程と、
を備え、
前記テープのテープ幅方向両端の一方を基準端、他方を設定端としたとき、
前記印刷画像の前記設定端側の端部に、前記ラベル幅Ｌｗの内側と外側との境界線を示す第１境界マークを、前記境界マークの１種として付加するとともに、
前記印刷画像の前記基準端側の余白領域の幅が前記印刷回避幅ｄ未満のときには、前記印刷画像の前記基準端側の端を示す第２境界マークを、前記境界マークの１種として付加し、前記印刷対象領域の前記基準端側の端に前記印刷画像の基準端側の端を合わせて、印刷幅Ｐｗ＝Ｌｗの前記印刷画像を印刷し、
前記余白領域の幅が前記印刷回避幅ｄ以上のときには、前記印刷画像の前記基準端側の前記印刷回避幅ｄ分を削除して、印刷幅Ｐｗ＝Ｌｗ−ｄの部分印刷画像を作成し、前記印刷対象領域の前記基準端側の端に前記部分印刷画像の基準端側の端を合わせて、前記部分印刷画像を前記印刷画像の代わりに印刷することを特徴とするテープ印刷装置の画像印刷方法。
【請求項２】
前記印刷回避幅ｄおよび前記印刷対象幅ｐは前記テープ幅Ｔｗに対応して定められており、
前記印刷対象幅決定工程は、
装着されたテープのテープ幅Ｔｗを検出するテープ幅検出工程と、
検出したテープ幅Ｔｗに応じて対応する所定の印刷回避幅ｄおよび印刷対象幅ｐを設定する印刷対象幅設定工程と、
を有することを特徴とする、請求項１に記載のテープ印刷装置の画像印刷方法。
【請求項３】
前記ラベル幅Ｌｗ、前記印刷対象幅ｐおよび前記印刷回避幅ｄについて、Ｌｗ＞ｐ＋ｄの関係が成立し、かつ、前記印刷画像の前記基準端側に前記印刷回避幅ｄ以上の幅の余白領域があるときに、前記印刷幅Ｐｗ＝Ｌｗ−ｄをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、前記印刷幅Ｐｗの部分印刷画像を各分割印刷幅Ｐｉ（ｉ＝１〜ｎ）を有するｎ個の分割印刷画像に分割する印刷画像分割工程をさらに備え、
前記境界マーク付加工程は、
前記ｎ個の分割印刷画像のうちの分割印刷幅Ｐｊ（ｊ＝２〜ｎ）を有するｎ−１個の分割印刷画像に、各分割印刷画像の前記基準端側の端を示す第３境界マークを、前記境界マークの１種として付加する第３境界マーク付加工程と、
前記ｎ個の分割印刷画像のうちの分割印刷幅Ｐｋ（ｋ＝１〜ｎ−１）を有するｎ−１個の分割印刷画像に、各分割印刷画像の前記設定端側の端を示す第４境界マークを、前記境界マークの１種として付加する第４境界マーク付加工程と、
をさらに有し、
前記部分画像印刷工程は、前記印刷対象領域に前記ｎ個のうちの１個の分割印刷画像を、順次または任意に印刷する分割印刷画像印刷工程を有することを特徴とする、請求項１または２に記載のテープ印刷装置の画像印刷方法。
【請求項４】
前記ラベル幅Ｌｗおよび前記印刷対象幅ｐについて、Ｌｗ＞ｐの関係が成立し、かつ、前記印刷画像の前記基準端側の余白領域の幅が前記印刷回避幅ｄ未満のときに、前記印刷幅Ｐｗをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、前記印刷幅Ｐｗの印刷画像を各分割印刷幅Ｐｉ（ｉ＝１〜ｎ）を有するｎ個の分割印刷画像に分割する印刷画像分割工程をさらに備え、
前記境界マーク付加工程は、
前記ｎ個の分割印刷画像のうちの分割印刷幅Ｐｊ（ｊ＝２〜ｎ）を有するｎ−１個の分割印刷画像に、各分割印刷画像の前記基準端側の端を示す第３境界マークを、前記境界マークの１種として付加する第３境界マーク付加工程と、
前記ｎ個の分割印刷画像のうちの分割印刷幅Ｐｋ（ｋ＝１〜ｎ−１）を有するｎ−１個の分割印刷画像に、各分割印刷画像の前記設定端側の端を示す第４境界マークを、前記境界マークの１種として付加する第４境界マーク付加工程と、
をさらに有し、
前記全画像印刷工程は、前記印刷対象領域に前記ｎ個のうちの１個の分割印刷画像を、順次または任意に印刷する分割印刷画像印刷工程を有することを特徴とする、請求項１または２に記載のテープ印刷装置の画像印刷方法。
【請求項５】
前記第１境界マーク付加工程では、前記印刷幅Ｐｗについて、Ｐｗ＝ｈ×ｐ＋ｄ（ただし、ｈは１以上の任意の整数）が成立し、かつ、前記印刷画像の前記設定端側に前記印刷回避幅ｄ以上の幅の余白領域があるときに、前記第１境界マークの付加を省略し、
前記印刷工程では、前記印刷幅Ｐｗ＝ｈ×ｐ＋ｄが成立し、かつ、前記印刷画像の前記設定端側に前記印刷回避幅ｄ以上の幅の余白領域があるときに、前記印刷画像の前記設定端側の前記印刷回避幅ｄ分を削除した画像を前記印刷画像の代わりに印刷することを特徴とする、請求項１ないし４のいずれかに記載のテープ印刷装置の画像印刷方法。
【発明の詳細な説明】
【０００１】
【発明の属する技術分野】
本発明は、印刷画像をテープに印刷するテープ印刷装置の画像印刷方法に関する。
【０００２】
【従来の技術】
従来から、相互に相異なるテープ幅のテープに対して印刷を行う種々のテープ印刷装置が知られている。この種のテープ印刷装置では、相異なるテープ幅のテープを収容したテープカートリッジを装着してテープに対する印刷を行い、印刷後のテープを所望の長さ（任意長さ）でカットすることにより、そのテープ幅に応じた幅と任意長さを有するラベル等を作成できる。また、そのテープ幅内の任意幅を設定することにより、その任意幅を示す所定のカットマークを付加して印刷するテープ印刷装置も提案されていて、そのテープ印刷装置によれば、そのカットマークが示す任意幅でテープを長手方向にカットすることにより、装着されたテープのテープ幅ばかりでなく、任意幅のラベル等を作成できる（例えば特開平６−３２０８２６号公報参照）。さらに、任意幅のラベル等を作成するという意味において、本件出願人は、印刷画像を複数枚のテープに分割印刷して、それらを接合することにより、テープ幅を超える任意幅のラベル等を作成できるテープ印刷装置を提案している（例えば特願平９−３４４２４２号等）。
【０００３】
【発明が解決しようとする課題】
ところで、例えばサーマル方式のテープ印刷装置の場合、テープの幅方向両端まで完全に印刷するのは、実際上、不可能である。すなわち、両端まで完全に印刷するためには、サーマルヘッドの発熱素子の発熱幅（印刷画像データの印加幅）をテープの幅に完全に一致させて発熱させる必要があるが、サーマルヘッドを備え付ける位置や姿勢、テープカートリッジの装着位置、テープカートリッジ内のテープの収容位置、テープの走行経路（蛇行等）等の誤差要因により、完全に一致させるのは不可能である。また、テープ幅を超えた（はみ出した）印刷により両端まで印刷するのは、そのはみ出した部分の熱によりプラテン等を痛めたり、余分なインクを付着して各部に汚れ等を生じさせて、印刷品質の低下を誘発するので、構造上好ましくない。そして、これらの理由により、テープの幅方向両端には、従来から、テープ幅を超えた印刷を回避するための余白部分（超幅印刷回避領域）が設けられている。また、最大のテープ幅より超幅印刷回避領域の幅（印刷回避幅）分だけ小さい印刷ヘッド（サーマルヘッド）しか備えていないテープ印刷装置も存在する。
【０００４】
しかしながら、上述した各種の従来のテープ印刷装置では、上記の印刷回避幅を考慮していないため、超幅印刷回避領域を設けた場合に、作成されたラベルの幅方向両端の余白が所望の幅にならなかったり、分割印刷して接合する場合の接合部に画像としての隙間（余白等）が発生したり、などの不具合を生じることがあった。
【０００５】
本発明は、テープの幅方向両端部に所定の印刷回避幅の超幅印刷回避領域を設けて印刷画像を印刷しつつ、超幅印刷回避領域を設けない場合と同等の任意幅のラベル等を作成できるテープ印刷装置の画像印刷方法を提供することを目的とする。
【０００６】
【課題を解決するための手段】
本発明の画像印刷方法は、印刷対象物であるテープのテープ幅Ｔｗを超えた印刷を回避するための超幅印刷回避領域が、テープの幅方向両端部に印刷回避幅ｄとなるように設けられ、テープ幅Ｔｗの印刷回避幅ｄを除く部分を印刷対象幅ｐ（ｐ＝Ｔｗ−２ｄ）として、テープの印刷対象幅ｐの印刷対象領域に印刷画像を印刷するテープ印刷装置の画像印刷方法であって、任意のテープを印刷対象物として装着するテープ装着工程と、装着されたテープの印刷回避幅ｄおよび印刷対象幅ｐを決定する印刷対象幅決定工程と、任意のラベル幅Ｌｗを設定するラベル幅設定工程と、ラベル幅Ｌｗ、印刷回避幅ｄおよび印刷対象幅ｐに基づいて、印刷結果のテープの有用部分と無用部分との境界線を示す１種以上の境界マークを、印刷画像に付加する境界マーク付加工程と、１種以上の境界マークが付加された印刷画像をテープに印刷する印刷工程と、を備え、テープのテープ幅方向両端の一方を基準端、他方を設定端としたとき、印刷画像の設定端側の端部に、ラベル幅Ｌｗの内側と外側との境界線を示す第１境界マークを、境界マークの１種として付加するとともに、印刷画像の基準端側の余白領域の幅が印刷回避幅ｄ未満のときには、印刷画像の基準端側の端を示す第２境界マークを、境界マークの１種として付加し、印刷対象領域の基準端側の端に印刷画像の基準端側の端を合わせて、印刷幅Ｐｗ＝Ｌｗの印刷画像を印刷し、余白領域の幅が印刷回避幅ｄ以上のときには、印刷画像の基準端側の印刷回避幅ｄ分を削除して、印刷幅Ｐｗ＝Ｌｗ−ｄの部分印刷画像を作成し、印刷対象領域の基準端側の端に部分印刷画像の基準端側の端を合わせて、部分印刷画像を印刷画像の代わりに印刷することを特徴とする。
【０００８】
この画像印刷方法およびその装置では、テープ幅Ｔｗのテープの幅方向両端部に所定の印刷回避幅ｄの超幅印刷回避領域を設けて、印刷対象幅ｐ（ｐ＝Ｔｗ−２ｄ）の印刷対象領域に印刷画像を印刷する。具体的には、任意のテープを印刷対象物として装着し、装着されたテープの印刷回避幅ｄおよび印刷対象幅ｐを決定するとともに、任意のラベル幅Ｌｗを設定し、そのラベル幅Ｌｗ、印刷回避幅ｄおよび印刷対象幅ｐに基づいて、印刷結果のテープの有用部分と無用部分との境界線を示す１種以上の境界マークを、印刷画像に付加し、１種以上の境界マークが付加された印刷画像をテープに印刷する。この場合、設定された任意のラベル幅Ｌｗや、印刷回避幅ｄおよび印刷対象幅ｐに基づいて、有用部分と無用部分との境界線を示す１種以上の境界マークを印刷画像に付加して印刷するので、印刷された境界マークに基づいて、テープを長手方向にカットしたり、分割印刷した複数枚のテープを接合したりすることができる。したがって、テープの幅方向両端部に所定の印刷回避幅ｄの超幅印刷回避領域を設けて印刷画像を印刷しつつ、超幅印刷回避領域を設けない場合と同等の任意幅（ラベル幅）Ｌｗのラベル等を作成できる。
また、テープのテープ幅方向両端の一方を基準端、他方を設定端としたとき、印刷画像の設定端側の端部に、ラベル幅Ｌｗの内側と外側との境界線を示す第１境界マークを、境界マークの１種として付加する。すなわち、この印刷画像を印刷したときに、その印刷画像の設定端側の端部に、第１境界マークが印刷されるので、ユーザは、その第１境界マークを参照して長手方向のカット等の処理を容易に行うことができる。また、この第１境界マークは、ラベル幅Ｌｗの内側と外側との境界線を示すので、カット等により、設定されたラベル幅Ｌｗに適合するラベルを作成できる。
さらに、超幅印刷回避領域を設けずにそのまま印刷する場合、印刷画像の幅方向両端部の余白がそのままラベルの幅方向両端部の余白となる。これに対し、超幅印刷回避領域を設けた場合、そのまま印刷すれば、ラベルの幅方向両端部の余白には、印刷画像の幅方向両端部の余白に印刷回避幅ｄ分の余白が加わる。すなわち、印刷回避幅ｄ分だけ余白が大きくなってしまい、これにより、作成されたラベルの幅方向両端部の余白が所望の幅にならない不具合が生じる。この画像印刷方法では、印刷画像の基準端側に印刷回避幅ｄ以上の幅の余白領域があるときに、印刷画像の基準端側の印刷回避幅ｄ分を削除して、印刷幅Ｐｗ＝Ｌｗ−ｄの部分印刷画像を作成し、印刷対象領域の基準端側の端に部分印刷画像の基準端側の端を合わせて、部分印刷画像を印刷画像の代わりに印刷する。この場合、印刷結果の基準端側の余白は印刷回避幅ｄ分だけ大きくなるが、印刷前に印刷回避幅ｄ分だけ削除しているので、もとの印刷画像の基準端側の余白と一致させることができる。また、印刷対象となった実際の印刷幅Ｐｗは、印刷幅Ｐｗ＝Ｌｗ−ｄであるが、テープの基準端側には、印刷回避幅ｄ分の余白があるので、超幅印刷回避領域を設けずに印刷幅Ｐｗ＝Ｌｗの印刷画像をそのまま印刷したときと、同等の印刷結果が得られる。
またさらに、超幅印刷回避領域を設けた場合、そのまま印刷すれば、ラベルの幅方向両端部の余白には、印刷画像の幅方向両端部の余白に印刷回避幅ｄ分の余白が加わり、余白が大きくなって、作成されたラベルの幅方向両端部の余白が所望の幅にならない不具合が生じる。この画像印刷方法では、印刷画像の基準端側の余白領域の幅が印刷回避幅ｄ未満のときに、印刷画像の基準端側の端を示す第２境界マークを、境界マークの１種として付加し、印刷対象領域の基準端側の端に印刷画像の基準端側の端を合わせて、印刷幅Ｐｗ＝Ｌｗの印刷画像を印刷する。すなわち、この印刷画像を印刷したときに、その印刷画像の基準端側の端を示す第２境界マークが印刷されるので、ユーザは、その第２境界マークを参照してカット等の処理を容易に行うことができる。また、この第２境界マークは、ラベル幅Ｌｗの内側と外側との境界線を示すので、カット等により、設定されたラベル幅Ｌｗに適合するラベルを作成できる。
【０００９】
また、上述の画像印刷方法において、前記印刷回避幅ｄおよび前記印刷対象幅ｐは前記テープ幅Ｔｗに対応して定められており、前記印刷対象幅決定工程は、装着されたテープのテープ幅Ｔｗを検出するテープ幅検出工程と、検出したテープ幅Ｔｗに応じて対応する所定の印刷回避幅ｄおよび印刷対象幅ｐを設定する印刷対象幅設定工程と、を有することが好ましい。
【００１１】
この画像印刷方法では、印刷回避幅ｄおよび印刷対象幅ｐはテープ幅Ｔｗに対応して定められていて、装着されたテープのテープ幅Ｔｗを検出し、検出したテープ幅Ｔｗに応じて対応する所定の印刷回避幅ｄおよび印刷対象幅ｐを設定する。すなわち、印刷回避幅ｄおよび印刷対象幅ｐはテープ幅Ｔｗに対応して定められているので、装着されたテープのテープ幅Ｔｗを検出することにより、それに対応する所定のものを印刷回避幅ｄおよび印刷対象幅ｐとして決定して容易に設定できる。
【００１８】
また、上述の画像印刷方法において、前記ラベル幅Ｌｗ、前記印刷対象幅ｐおよび前記印刷回避幅ｄについて、Ｌｗ＞ｐ＋ｄの関係が成立し、かつ、前記印刷画像の前記基準端側に前記印刷回避幅ｄ以上の幅の余白領域があるときに、前記印刷幅Ｐｗ＝Ｌｗ−ｄをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、前記印刷幅Ｐｗの部分印刷画像を各分割印刷幅Ｐｉ（ｉ＝１〜ｎ）を有するｎ個の分割印刷画像に分割する印刷画像分割工程をさらに備え、前記境界マーク付加工程は、前記ｎ個の分割印刷画像のうちの分割印刷幅Ｐｊ（ｊ＝２〜ｎ）を有するｎ−１個の分割印刷画像に、各分割印刷画像の前記基準端側の端を示す第３境界マークを、前記境界マークの１種として付加する第３境界マーク付加工程と、前記ｎ個の分割印刷画像のうちの分割印刷幅Ｐｋ（ｋ＝１〜ｎ−１）を有するｎ−１個の分割印刷画像に、各分割印刷画像の前記設定端側の端を示す第４境界マークを、前記境界マークの１種として付加する第４境界マーク付加工程と、をさらに有し、前記部分画像印刷工程は、前記印刷対象領域に前記ｎ個のうちの１個の分割印刷画像を、順次または任意に印刷する分割印刷画像印刷工程を有することが好ましい。
【００２０】
この画像印刷方法では、ラベル幅Ｌｗ、印刷対象幅ｐおよび印刷回避幅ｄについて、Ｌｗ＞ｐ＋ｄの関係が成立し、かつ、印刷画像の基準端側に印刷回避幅ｄ以上の幅の余白領域があるときに、印刷幅Ｐｗ＝Ｌｗ−ｄをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、印刷幅Ｐｗの部分印刷画像を各分割印刷幅Ｐｉ（ｉ＝１〜ｎ）を有するｎ個の分割印刷画像に分割する。この場合、ｎ個の各分割印刷画像の分割印刷幅Ｐｉは、０≦Ｐｉ≦ｐなので、印刷対象幅ｐの印刷対象領域に印刷できるものとなる。また、この場合、ｎ個の分割印刷画像のうちの分割印刷幅Ｐｊ（ｊ＝２〜ｎ）を有するｎ−１個の分割印刷画像に、各分割印刷画像の基準端側の端を示す第３境界マークを、境界マークの１種として付加し、ｎ個の分割印刷画像のうちの分割印刷幅Ｐｋ（ｋ＝１〜ｎ−１）を有するｎ−１個の分割印刷画像に、各分割印刷画像の設定端側の端を示す第４境界マークを、境界マークの１種として付加して、印刷対象領域にｎ個のうちの１個の分割印刷画像を、順次または任意に印刷する。この場合、ｊ番目の分割印刷画像を印刷したときには、その分割印刷画像の第３境界マークはｊ−１番目との境界を示すことになるので、その外側（基準端側）は無用部分となり、同様に、ｋ番目の分割印刷画像を印刷したときには、その第４境界マークはｋ＋１番目との境界を示すことになるので、その外側（設定端側）は無用部分となる。
【００２１】
このため、ユーザは、第３境界マークや第４境界マークを参照して無用部分のカット等の処理を容易に行うことができる。また、ｎ個の全ての分割印刷画像を印刷し、それらの第３境界マークや第４境界マークが示す無用部分を全てカットして隣接して貼れば、または有用部分を隣接する無用部分に重ねて貼れば、ｎ個の分割印刷画像をぴったりと接合できる。また、分割印刷幅Ｐｉの総和ΣＰｉ＝Ｐｗであり、印刷幅Ｐｗ＝Ｌｗ−ｄなので、ｉ＝１の分割印刷幅Ｐ１の分割印刷画像の基準端側に印刷回避幅ｄ分の余白が加わることにより、接合結果の幅の総計はラベル幅Ｌｗに一致する。すなわち、超幅印刷回避領域を設けずに分割印刷画像を各テープ幅方向両端まで印刷して隣接して貼ったときと、同等の印刷結果が得られ、接合した結果としても同等の所望のラベル幅Ｌｗのラベルが作成できる。
【００２５】
また、上述の画像印刷方法において、前記ラベル幅Ｌｗおよび前記印刷対象幅ｐについて、Ｌｗ＞ｐの関係が成立し、かつ、前記印刷画像の前記基準端側の余白領域の幅が前記印刷回避幅ｄ未満のときに、前記印刷幅Ｐｗをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、前記印刷幅Ｐｗの印刷画像を各分割印刷幅Ｐｉ（ｉ＝１〜ｎ）を有するｎ個の分割印刷画像に分割する印刷画像分割工程をさらに備え、前記境界マーク付加工程は、前記ｎ個の分割印刷画像のうちの分割印刷幅Ｐｊ（ｊ＝２〜ｎ）を有するｎ−１個の分割印刷画像に、各分割印刷画像の前記基準端側の端を示す第３境界マークを、前記境界マークの１種として付加する第３境界マーク付加工程と、前記ｎ個の分割印刷画像のうちの分割印刷幅Ｐｋ（ｋ＝１〜ｎ−１）を有するｎ−１個の分割印刷画像に、各分割印刷画像の前記設定端側の端を示す第４境界マークを、前記境界マークの１種として付加する第４境界マーク付加工程と、をさらに有し、前記全画像印刷工程は、前記印刷対象領域に前記ｎ個のうちの１個の分割印刷画像を、順次または任意に印刷する分割印刷画像印刷工程を有することが好ましい。
【００２７】
この画像印刷方法では、ラベル幅Ｌｗおよび印刷対象幅ｐについて、Ｌｗ＞ｐの関係が成立し、かつ、印刷画像の基準端側の余白領域の幅が印刷回避幅ｄ未満のときに、印刷幅Ｐｗをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、印刷幅Ｐｗの印刷画像を各分割印刷幅Ｐｉ（ｉ＝１〜ｎ）を有するｎ個の分割印刷画像に分割するので、前述と同様に、ｎ個の各分割印刷画像は、印刷対象幅ｐの印刷対象領域に印刷できる。また、分割印刷幅Ｐｊ（ｊ＝２〜ｎ）を有するｎ−１個の分割印刷画像に、各分割印刷画像の基準端側の端を示す第３境界マークを付加し、分割印刷幅Ｐｋ（ｋ＝１〜ｎ−１）を有するｎ−１個の分割印刷画像に、各分割印刷画像の設定端側の端を示す第４境界マークを付加して、印刷対象領域に順次または任意に印刷し、同様に、ｊ番目の分割印刷画像の第３境界マークはｊ−１番目との境界を示し、ｋ番目の分割印刷画像の第４境界マークはｋ＋１番目との境界を示すため、それらを参照して無用部分のカット等の処理を容易に行うことができる。また、ｎ個の分割印刷画像を印刷して第３境界マークや第４境界マークが示す無用部分を全てカットして隣接したり、有用部分を隣接する無用部分に重ねて、ぴったりと貼り付けて接合でき、総和ΣＰｉ＝Ｐｗ＝Ｌｗなので、接合結果の幅の総計はラベル幅Ｌｗに一致する。すなわち、超幅印刷回避領域を設けずに分割印刷画像を各テープ幅方向両端まで印刷して隣接して貼ったときと、同等の印刷結果が得られ、接合した結果としても同等の所望のラベル幅Ｌｗのラベルを作成できる。
【００３７】
また、上述の画像印刷方法において、第１境界マーク付加工程では、印刷幅Ｐｗについて、Ｐｗ＝ｈ×ｐ＋ｄ（ただし、ｈは１以上の任意の整数）が成立し、かつ、印刷画像の設定端側に印刷回避幅ｄ以上の幅の余白領域があるときに、第１境界マークの付加を省略し、印刷工程では、印刷幅Ｐｗ＝ｈ×ｐ＋ｄが成立し、かつ、印刷画像の設定端側に印刷回避幅ｄ以上の幅の余白領域があるときに、印刷画像の設定端側の印刷回避幅ｄ分を削除した画像を印刷画像の代わりに印刷することが、好ましい。
【００３９】
この画像印刷方法では、印刷幅Ｐｗについて、Ｐｗ＝ｈ×ｐ＋ｄ（ただし、ｈは１以上の任意の整数）が成立し、かつ、印刷画像の設定端側に印刷回避幅ｄ以上の幅の余白領域があるときに、第１境界マークの付加を省略し、印刷画像の設定端側の印刷回避幅ｄ分を削除した画像を印刷画像の代わりに印刷する。ここで、印刷幅Ｐｗ＝ｈ×ｐ＋ｄ（ただし、ｈは１以上の任意の整数）が成立する場合とは、ｈ枚分のテープの印刷対象幅ｐの総和ｈ×ｐより印刷回避幅ｄ分だけ大きな印刷幅Ｐｗの場合である。前述のように、超幅印刷回避領域を設けずにそのまま印刷する場合と異なり、超幅印刷回避領域を設けた場合、そのまま印刷すれば、ラベルの幅方向両端部の余白は、印刷回避幅ｄ分だけ大きくなる。このため、印刷幅ｈ×ｐ分だけ（すなわちＰｗ−ｄ分だけ）印刷すれば、それに印刷回避幅ｄが加わり、超幅印刷回避領域を設けずにそのまま印刷幅Ｐｗ分を印刷する場合と同等になる。また、この場合、印刷画像の設定端側に印刷回避幅ｄ以上の幅の余白領域があるので、そのうちの印刷回避幅ｄ分を印刷回避幅ｄの余白で代用しても何等支障がない。また、この場合、第１境界マークが示すべき境界線はテープの設定端と一致するので、カット等の処理をする必要がない。したがって、この画像印刷方法では、第１境界マークの付加およびその印刷を省略でき、カット等の処理も省略できるとともに、超幅印刷回避領域を設けない場合と同等の印刷結果が得られる。
【００４６】
【発明の実施の形態】
以下、本発明の一実施形態に係る画像印刷方法およびその装置を適用したテープ印刷装置について、添付図面を参照しながら詳細に説明する。まず、図１は、テープ印刷装置の制御系のブロック図である。
【００４７】
このテープ印刷装置１は、キー入力した所望の文字などに基づいて作成した印刷画像を、テープＴにサーマル方式でカラー印刷すると共に、このテープＴの印刷部分を切断してラベルを作成するものである。
【００４８】
テープＴは、基材テープと基材テープの裏面に塗着した粘着層と粘着層に貼着した剥離紙テープとで構成され、基材テープは、紙やコート層を有する紙、あるいはコート層を有するフィルム等のインクを十分吸収できる素材で構成される。粘着層は、ラベルとしての印刷テープをファイルなどの貼付対象物に貼り付けるためのものであり、また剥離紙テープは、この粘着層にゴミなどが付着するのを防止するためのものである。テープＴには、テープ幅４．５mm〜４８mm程度の各種のものが用意され、それぞれテープカートリッジ５に収容された状態で提供され、テープ幅に応じて幅方向２４ドット〜１０２４ドット程度の解像度の印刷画像が印刷される。なお、これらのテープＴには、材質の異なるものや、地色が白色以外のものなども用意されており、将来採用されるものも含めれば、少なくとも数十種類のものが使用可能となっている。
【００４９】
図１に示すように、テープ印刷装置１は、基本的な構成として、キーボード３やディスプレイ４を有してユーザとのインタフェースを行う操作部１１、サーマル方式の印刷ヘッド７によりテープカートリッジ５のテープＴに印刷を行う印刷部１２、印刷後のテープＴの切断を行う切断部１３、各種センサを有して各種検出を行う検出部１４、各種ドライバを有して各部回路を駆動する駆動部２７０、、外部メモリ（ファイルパック）を着脱可能な外部メモリ装着部２８０、電源部２９０、および、テープ印刷装置１内の各部を制御する制御部２００を備えている。このため、装置内部には、印刷部１２、切断部１３、検出部１４、外部メモリ装着部２８０などの他、図外の回路基板が収納されている。この回路基板には、電源部２９０の他、駆動部２７０や制御部２００の各回路などが搭載されている。電源部２９０の電源ユニットは、ＡＣアダプタ接続口や外部から着脱可能なニッカド電池等の電池に接続され、テープ印刷装置１内の各部に電力を供給する。
【００５０】
詳細な図示はしないが、まず、印刷部１２では、テープカートリッジ５は、カートリッジケースの内部にテープＴとインクリボンＲとを収容して構成されており、印刷部１２のポケットに配設されたヘッドユニットに差し込むための貫通孔が形成され、ポケットの位置決めピンに差し込まれるテープリールおよびポケットの巻取り駆動軸に差し込まれるリボン巻取りリールが収納され、また、テープＴとインクリボンＲとが重なる部分には、ヘッドユニットに内蔵された印刷ヘッド（サーマルヘッド）７に対応してポケットのプラテン駆動軸に差し込まれるプラテンローラが収納されている。
【００５１】
テープカートリッジ５には、内蔵するテープＴの相異なる幅等の種別を識別できるように、裏面に小さな複数の孔が設けられ、上記のポケットには、この孔の有無を検出するマイクロスイッチなどのテープ識別センサが設けられていて、これにより、テープＴの種別を検出できるようになっている。また、ポケットには、環境（周囲）温度を検出して報告するサーミスタなどの周囲温度センサが設けられていて、周囲温度を検出して制御部２００に報告する。また、印刷ヘッド７の表面に密着してサーミスタなどのヘッド表面温度センサが設けられていて、サーマルヘッド７の表面温度を検出して制御部２００に報告する。装置ケースには、ポケットと装置外部とを連通するテープ排出口が形成され、テープ排出口には、送りだしたテープＴを切断するテープカッタが臨んでいる。
【００５２】
テープカートリッジ５がポケットに装着されると、ヘッドユニットにテープカートリッジ５の貫通孔が、位置決めピンにテープリールが、プラテン駆動軸にプラテンローラが、巻取り駆動軸にリボン巻取りリールが、それぞれ差し込まれ、テープＴおよびインクリボンＲの送りが可能になる。また、この状態でテープＴおよびインクリボンＲを挟み込んで印刷ヘッド７がプラテンローラに当接して、印刷が可能になる。テープＴはテープリールから繰り出され、インクリボンＲはリボンリールから繰り出され、テープＴと重なって併走した後、リボン巻取りリールに巻き取られる。すなわち、プラテンローラとリボン巻取りリールとが同期して回転することにより、テープＴとインクリボンＲとが同時に送られ、かつこれらに同期して印刷ヘッド７が駆動することで、印刷が行われる。
【００５３】
テープ印刷装置１では、ユーザは、印刷部１２のポケットにテープカートリッジ５を装着した後、キーボード３により所望のキャラクタ（文字、数字、記号、図形等）などの印刷画像の情報を入力し、同時にディスプレイ４により入力結果を確認すると共に編集を行う。その後、キーボード３を介して印刷を指示すると、印刷部１２のテープ送り部が駆動され、テープカートリッジ５からテープＴを繰り出すと同時に、印刷ヘッド７が駆動して、テープＴに所望の印刷を行う。そして、テープＴの印刷済み部分は、印刷動作に並行してテープ排出口から随時外部に送り出される。このようにして、所望の印刷が完了すると、プラテンローラの回転（リボン巻取りリールも同期回転する）を所定時間続行することでテープＴの送りが続行され、余白分を含むテープ長さに適合した所定の切断位置がテープカッタの位置まで送られる。
【００５４】
印刷部１２のテープ送り部は、上記のポケットの側方に配設したテープフィードモータ（ＴＦモータ）を動力（駆動）源として、上記のプラテン駆動軸および巻取り駆動軸を回転させるものであり、ポケットの側方から下方に亘る空間に配設されている。テープ送り部は、ＴＦモータ、プラテン駆動軸、巻取り駆動軸、ＴＦモータの動力を各駆動軸に伝達する減速歯車列、およびこれらを支持するシャーシとを備えている。
【００５５】
なお、本実施形態におけるＴＦモータは、ＤＣモータで構成され、印刷部１２のテープ送り部は、ＴＦモータ（ＤＣモータ）の回転数を検出するためのエンコーダをさらに備え、エンコーダは、円盤状の周方向の４箇所に検出開口が形成され、ＤＣモータの主軸の先端に固着されている。この回転速度センサは、上述のエンコーダの検出開口に臨むフォトセンサと、フォトセンサを支持すると共にその間で光電変換を行うセンサ回路基板とを備えている。フォトセンサには、発光素子と受光素子とが対向配置され、発光素子の光が回転するエンコーダ（の円盤周方向）の検出開口を通過して受光素子に受光されることにより、ＤＣモータの回転数（パルス数）が検出される。すなわち、受光素子で受光された光の明滅が、センサ回路基板により光電変換され、パルス信号として制御部２００に出力される。もちろん、パルス制御信号により所定のステップ（パルス）数だけステップ送りしやすいように、上記のＴＦモータをステッピングモータ（パルスモータ）で構成して、上記のエンコーダや回転速度センサを省略した構成にすることもできる。
【００５６】
図１では、制御系の説明の便宜上、検出部１４が、上述したテープ識別センサ、周囲温度センサ、ヘッド表面温度センサ、および回転速度センサを備えているものとしている。ここで、検出部１４は、これらのセンサにより検出した各種検出信号を制御部２００に報告する。なお、実状に合わせて、テープ印刷装置１の各部に電力を供給する電源部２９０の電源ユニットに接続されてその電位変動を検出する電圧センサ等の他のセンサを設けることもできるし、また、上記ＴＦモータがパルスモータの場合には回転速度センサを省略するなど、一部を省略した構成とすることもできる。
【００５７】
次に、切断部１３は、テープカッタとそれを切断動作させるカッタモータとを備えている。このため、定長印刷時等における自動カットの場合、印刷が終了して余白分だけテープ送りされ、それが停止すると同時に、カッタモータが駆動され、テープＴの切断が行われる。なお、テープ印刷装置１では、このカッタによる切断動作を手動でも行えるように、カットキーを設け、モード設定によって、自動／手動を切り替えられるようにしている。このため、任意長印刷時等における手動カットの場合、印刷が完了した時点で、ユーザが、カットキーを押すことで、テープカッタが作動し、テープＴが所望の長さに切断される。
【００５８】
駆動部２７０は、ディスプレイドライバ、ヘッドドライバ、モータドライバを備え、ディスプレイドライバは、制御部２００から出力される制御信号に基づき、その指示に従って、操作部１１のディスプレイ４を駆動する。同様に、ヘッドドライバは、制御部２００の指示に従って、印刷部１２の印刷ヘッド７を駆動する。また、モータドライバは、印刷部１２のＴＦモータを駆動するＴＦモータドライバと、切断部１３のカッタモータを駆動するカッタモータドライバとを有し、制御部２００の指示に従って、各モータを駆動する。
【００５９】
次に、テープ印刷装置１では、ユーザは、後述のＲＡＭ２４０の補助記憶として、文書ファイル等を多数記憶可能な外部メモリ（以下「ファイルパック」）２８１を着脱自在に装着できるようになっている。このファイルパック２８１は、ＳＲＡＭを１つまたは複数（例えば２個）搭載して構成され、テープ印刷装置１から外しても記憶したデータを保持しておくように電池等によりバックアップされている。また、外部メモリ装着部２８０のポケットにファイルパック２８１を装着すると、ユーザからはＲＡＭ２４０の記憶領域の一部（例えば１つのディレクトリ等）に見えるように機能し、制御処理の作業領域として使用される。
【００６０】
また、操作部１１は、キーボード３とディスプレイ４とを備えている。ディスプレイ４は、横方向（Ｘ方向）約８cm×縦方向（Ｙ方向）４cmの長方形の形状の内側に、例えば１９８ドット×６４ドットの表示画像データを表示可能な表示画面４１を有し、ユーザがキーボード３からデータを入力して、文字、数字、記号、簡易図形等のキャラクタ（以下、これらを代表して「文字」といい、キャラクタの意味で使用）を配置した文字列画像やそれを含む印刷画像を表現するマトリクスデータを作成・編集したり、その結果等を視認したり、キーボード３から各種指令・選択指示等を入力したりする際などに用いられる。
【００６１】
キーボード３には、（いずれも図示しない）アルファベットキー群３１１、記号キー群３１２、数字キー群３１３、平仮名や片仮名等の仮名キー群３１４、および外字を呼び出して選択するための外字キー群３１５等を含む文字キー群３１の他、各種の動作モードなどを指定するための機能キー群３２などが配列されている。
【００６２】
機能キー群３２には、図外の電源キー３２１、印刷動作を指示するための印刷キー３２２、テキスト入力時のデータ確定や改行および選択画面における各種モードの選択指示のための選択キー３２３、印刷画像データの印刷色やその中間色（混色）を指定するための色指定キー３２４、文字色や背景色を設定するための色設定キー３２５、並びに、それぞれ上（「↑」）、下（「↓」）、左（「←」）、右（「→」）方向へのカーソル移動や表示画面４１の表示範囲を移動させるための４個のカーソルキー３３０（３３０Ｕ、３３０Ｄ、３３０Ｌ、３３０Ｒ：以下「カーソル「↑」キー３３０Ｕ」などという。ただし、代表して表現するときは「カーソルキー３３０」という。）が含まれる。
【００６３】
機能キー群３２には、さらに、各種指示を取り消すための取消キー３２６、各キーの役割を変更したり、描画登録画像データや外字登録画像データの修正等に用いられるシフトキー３２７、テキスト入力画面や選択画面と印刷画像データの表示画面（イメージ画面）とを相互に切り換えるためのイメージキー３２８、印刷画像データとイメージ画面に表示する表示画像データとの大きさの比率を変更するための比率変更（ズーム）キー３２９、各種スタイルを設定するためのスタイルキー３３１、ファイル操作のためのファイルキー３３２、背景画選択のためのイラストキー３３３、テープＴを手動でカットするためのカットキー３４０、外字登録操作のための外字キー３４１、かな漢字変換等の各種変換操作のための変換キー３４２、ファイルパック２８１を初期化したりその設定を変更するためのパックキー３４３、地紋印刷や定長印刷などの書式設定のための書式キー３４４、並びに、基礎となる印刷画像を任意の拡大率で拡大して印刷する拡大印刷を指示する拡大印刷キー３４５が含まれる。
【００６４】
なお、当然ながら、一般的なキーボードと同様に、これらのキー入力は、各キー入力毎に個別にキーを設けて入力しても良いし、シフトキー３２７等と組み合わせてより少ない数のキーを用いて入力しても良い。ここでは、理解を容易にするために上記の分だけキーがあるものとして説明する。
【００６５】
図１に示すように、キーボード３は、上述のような種々の指令およびデータを制御部２００に入力する。
【００６６】
制御部２００は、ＣＰＵ２１０、ＲＯＭ２２０、キャラクタジェネレータＲＯＭ（ＣＧ−ＲＯＭ）２３０、ＲＡＭ２４０、入出力制御回路（ＩＯＣ）２５０を備え、互いに内部バス２６０により接続されている。
【００６７】
ＲＯＭ２２０は、ＣＰＵ２１０で処理する制御プログラムを記憶する制御プログラム領域２２１の他、仮名漢字変換テーブル（辞書）、色変換テーブル、文字修飾テーブルなどを含む制御データを記憶する制御データ領域２２２を有している。ＣＧ−ＲＯＭ２３０は、テープ印刷装置１に用意されている文字等のフォントデータを記憶していて、文字等を特定するコードデータが与えられたときに、対応するフォントデータを出力する。
【００６８】
ＲＡＭ２４０は、電源キー３２１の操作により電源がオフにされても、記憶したデータを保持しておくようにバックアップされていて、各種フラグ等として使用される各種レジスタ群２４１、ユーザがキーボード３から入力した文字等のテキストデータを記憶するテキストデータ領域２４２、ディスプレイ４の表示画面の表示画像データを記憶する表示画像データ領域２４３、印刷画像データを記憶する印刷画像データ領域２４４、描画登録画像データを記憶する描画登録画像データ領域２４５、外字登録画像データを記憶する外字登録画像データ領域２４６、背景画の候補となる背景画像データや対応する文字色データを記憶する背景画像データ領域２４７、文字展開バッファ、色変換バッファ、基本色別配置バッファ、印刷バッファなどの各種バッファ領域２４８などの領域を有し、制御処理のための作業領域として使用される。
【００６９】
ＩＯＣ２５０には、ＣＰＵ２１の機能を補うとともに各種周辺回路とのインタフェース信号を取り扱うための論理回路が、ゲートアレイやカスタムＬＳＩなどにより構成されて組み込まれている。例えば、種々の計時を行うタイマなどもＩＯＣ２５０内の機能として組み込まれている。このため、ＩＯＣ２５０は、検出部１４の各種センサやキーボード３と接続され、検出部１４からの各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００７０】
また、ＩＯＣ２５０は、外部メモリ装着部２８０と接続され、ＲＡＭ２４０に対するアクセスのうち、実際にはファイルパック２８１に対するアクセスとなるデータの入出力を制御し、これにより、ファイルパック２８１を装着したときに、ユーザからは外見上（ファイル等の扱い上）、ＲＡＭ２４０を増設した（ＲＡ２４０のメモリ容量を増加させた）ように見えるように制御する。そこで、以下、特に断らない限り、ＲＡＭ２４０にはファイルパック２８１分のメモリ容量を含み、ＲＡＭ２４０内にファイルパック２８１に記憶したデータがあるものとして説明する（理解しやすいように、ファイルパック領域２４９として図示するが、実際には上記の各領域の一部または全部を分担させることもできる）。
【００７１】
そして、ＣＰＵ２１０は、上記の構成により、ＲＯＭ２２０内の制御プログラムに従って、ＩＯＣ２５０を介してテープ印刷装置１内の各部から各種信号・データ等を入力し、ＣＧ−ＲＯＭ２３０からのフォントデータ、ＲＡＭ２４０（上述のように、ファイルパック領域２４９（ファイルパック２８１分）を含む）内の各種データ等を処理し、ＩＯＣ２５０を介してテープ印刷装置１内の各部に各種信号・データ等を出力することにより、印刷の位置制御、表示画面４１の表示制御等を行うとともに、印刷ヘッド７を制御して所定の印刷条件でテープＴに印刷するなど、テープ印刷装置１全体を制御している。
【００７２】
次に、テープ印刷装置１の制御全体の処理フローについて、図２を参照して説明する。電源キー３２１を押すこと（電源オン）により処理が開始すると、同図に示すように、まず、テープ印刷装置１を、前回の電源オフ時の状態に戻すために、退避していた各制御フラグを復旧するなどの初期設定を行い（Ｓ１）、次に、前回の表示画面を初期画面として表示する（Ｓ２）。図２のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力割込を許可し、キー入力割込が発生するまでは、そのままの状態を維持し（Ｓ３：Ｎｏ）、何らかのキー入力割込が発生すると（Ｓ３：Ｙｅｓ）、それぞれの割込処理に移行して（Ｓ４）、その割込処理が終了すると、再度、その状態を維持する（Ｓ３：Ｎｏ）。
【００７３】
上述のように、テープ印刷装置１では、主な処理を割込処理により行うので、印刷画像作成・印刷の準備ができていれば、ユーザが任意の時点で印刷キー３２２を押すことにより、印刷処理割込が発生して、印刷処理が起動され、印刷画像データに基づいて印刷画像の印刷ができる。すなわち、印刷に至るまでの操作手順は、ユーザが任意に選択できる。
【００７４】
例えば図３に示すように、１行目の文字（キャラクタ）列「ＡＢＣＤＥ」を入力後のテキスト編集画面表示の状態（画面Ｔ１０：以下、ディスプレイ４の表示画面４１の表示状態を画面Ｔ××で表現し、参照番号としてはＴ××のみで示す。また、カーソル位置はカーソルＫで図示する。）で、ユーザにより印刷キー３２２が押されると、印刷中のメッセージの表示とともに文字列「ＡＢＣＤＥ」の文字列画像を印刷画像として印刷し（Ｔ１１）、印刷が終了すると、元のテキスト編集画面に戻る（Ｔ１２：Ｔ１０と同じ）。ただし、この種の文字列画像の印刷は従来と同様なので、詳細な説明は省略する。
【００７５】
なお、正確には、表示画像や印刷画像は、表示された画像自体または印刷された画像自体を指し、装置内では、表示画像を表現する表示画像データや印刷画像を表現する印刷画像データを扱う。すなわち、装置内で作成・修正・登録等の処理の対象となるのは画像データであり、画像自体ではないが、以下では説明を簡略化して、「〜画像を表現する〜画像データ」をその画像自体と同様に「〜画像」という。
【００７６】
ところで、例えばインクジェット方式のテープ印刷装置の場合、テープの幅を超える印刷を行うことにより、テープの幅方向両端まで完全に印刷（全面印刷）することも可能である。すなわち、テープ幅を超えた部分のインクを適宜処理することにより、特に問題なくテープの幅方向両端まで全面印刷が可能である。これに対し、前述のように、例えばサーマル方式のテープ印刷装置の場合、サーマルヘッドを備え付ける位置や姿勢、テープカートリッジの装着位置、テープカートリッジ内のテープの収容位置、テープの走行経路（蛇行等）等の誤差要因があり、また、それにより、プラテン等を痛めたり、余分なインクを付着して各部に汚れ等を生じさせ、印刷品質の低下を誘発させる可能性があるので、テープの幅方向両端まで完全に印刷するのは、実際上、不可能である。
【００７７】
そして、本実施形態のテープ印刷装置１もサーマル方式なので、従来と同様に、テープの幅方向両端には、テープ幅を超えた印刷を回避するための余白部分（超幅印刷回避領域）が設けられている。このため、従来なら、作成されたラベルの幅方向両端の余白が所望の幅にならなかったり、分割印刷して接合する場合の接合部に画像としての隙間（余白等）が発生したり、などの不具合を生じることがあったが、テープ印刷装置１では、テープＴの幅方向両端部に所定の印刷回避幅ｄの超幅印刷回避領域を設けて印刷画像を印刷しつつ、超幅印刷回避領域を設けない場合と同等の任意幅（ラベル幅）Ｌｗのラベル等を作成できるようにしている。以下、この点について詳述する。
【００７８】
図４に示すように、まず、前述と同様のテキスト編集画面を表示した状態（Ｔ１０）で、ユーザにより書式キー３４４が押されると（操作されると）、同図に示すように、各種の書式を選択して設定するための「書式」の第１階層の選択画面を表示する（Ｔ２０）。なお、テープ印刷装置１では、ユーザは、キー入力による各種指示を取消キー３２６により取り消すことができ、この第１階層の状態（Ｔ２０）から取消キー３２６を押すことにより、元のテキスト編集画面表示（Ｔ１０）に戻すことができる（以下、特に断らないかぎり取消キー３２６による作用は同様なので、説明は省略する）。
【００７９】
この選択画面（Ｔ２０）では、「書式」の選択肢として、例えば「地紋印刷」、「ラベル幅」、「定長印刷」などの選択肢を表示する。ユーザはこれらの選択肢のうちのいずれかを、カーソルキー３３０を操作して反転表示または点滅表示（点網掛けで図示）させ、選択キー３２３を押すことにより、反転表示または点滅表示された選択肢を選択・指定できる。各選択画面に遷移した直後には、直近に選択（アクセス）された選択肢（それがない場合は初期設定によりデフォルトで選択される選択肢）が反転表示され、ユーザがカーソルキー３３０を操作して他の選択肢を表示させたときには、直近に選択された選択肢ではないので、点滅表示される。テープ印刷装置１の選択画面における反転表示または点滅表示された選択肢は、その状態での選択キー３２３の操作で選択される選択肢なので、以下「選択表示」という。また、以下の説明では、直近に選択されたか否かは関係しないので、全て点滅表示（点網掛けで図示）とする。
【００８０】
上記の状態（Ｔ２０）で、ユーザによりカーソル「↓」キー３３０Ｄまたはカーソル「→」キー３３０Ｒが押されると、「定長印刷」が選択表示された状態となる。また逆にカーソル「↑」キー３３０Ｕまたはカーソル「←」キー３３０Ｌが押されると、「地紋印刷」が選択表示された状態となる。ただし、ここでは、ユーザは、ラベル幅Ｌｗを設定したいので、「ラベル幅」を選択表示させて選択キー３２３を押す（操作する）ことになる。「ラベル幅」が選択表示された状態（Ｔ２０）で、ユーザにより選択キー３２３が押されると、「ラベル幅」が選択され、その第２階層の選択画面に画面遷移する（Ｔ２１）。
【００８１】
この第２階層の「ラベル幅」の選択画面では、「ラベル幅」の選択肢として、例えば「自動」、「６ｍｍ」、……、「９ｍｍ」、……、「１２ｍｍ」、……（これらの図示は省略）、「２２ｍｍ」、「２３ｍｍ」、……などの選択肢を表示する。ユーザはこれらの選択肢のうちのいずれかを、カーソルキー３３０を操作して選択表示させ、選択キー３２３を押すことにより、選択表示された選択肢を選択・指定できる。また、この「ラベル幅」の選択画面では、数字キー群３１３を押す（操作する）ことにより、ラベル幅を数字により直接入力（直接設定）することもできる。
【００８２】
ここで、「自動」の選択肢は、装着されているテープＴのテープ幅Ｔｗ、すなわち検出部１４のテープ識別センサにより検出されたテープ幅Ｔｗをラベル幅Ｌｗとする選択肢である。テープ印刷装置１では、この「自動」を「ラベル幅」として何も指定しない場合のデフォルトの選択肢としているので、ラベル幅を設定しない場合のラベル幅Ｌｗは、装着されたテープＴのテープ幅（検出されたテープ幅）Ｔｗ、すなわちＬｗ＝Ｔｗとなる。一方、例えばユーザによりカーソルキー３３０が操作され、「２２ｍｍ」が選択表示された状態（Ｔ２１）で、選択キー３２３が押されると、「ラベル幅」として「２２ｍｍ」が選択され、すなわちラベル幅Ｌｗ＝２２ｍｍが設定され、次に「スリット印刷」の選択画面に画面遷移する（Ｔ２２）。
【００８３】
この「スリット印刷」の選択画面では、「スリットライン印刷」の選択肢として、例えば「切捨てライン」、「幅合せライン」、「両方」、「無し」などの選択肢を表示する。ユーザはこれらの選択肢のうちのいずれかを、カーソルキー３３０を操作して選択表示させ、選択キー３２３を押すことにより、選択表示された選択肢を選択・指定できる。ここで、例えば「幅合せライン」が選択表示された状態（Ｔ２２）で、選択キー３２３が押されると、「幅合せラインのみ印刷」が選択され、次に元のテキスト編集画面に戻る（Ｔ２３：Ｔ１０と同じ）。この状態（Ｔ２３）で、図３で前述と同様に印刷が指示されると（ユーザにより印刷キー３２２が押されると）、上記で設定された「ラベル幅」や「スリットライン印刷」に従って、印刷が行われる。
【００８４】
なお、上記の「切捨てライン」や「幅合せライン」は後述の境界マークの一種であり、境界マークについては、より一般的な概念としてさらに詳述するが、ここでは、上記の「切捨てライン」や「幅合せライン」の表現のまま、具体例を挙げておく。
【００８５】
例えば装着されたテープＴのテープ幅Ｔｗ＝１８ｍｍ、設定されたラベル幅Ｌｗ＝１４ｍｍ、「スリットライン」としては「幅合せライン」または「両方」を選択して設定した状態で、前述と同様の文字列「ＡＢＣＤＥ」を印刷すると、例えば図５に示すように、同図（ａ）の所望のラベルＲ０に対し、同図（ｂ）のように、幅合せラインＣ１、すなわち幅合せのためのスリットライン（点線）Ｃ１が印刷される。図示の斜線は印刷結果としての不要部分（無用部分）を示すものであり、実際に斜線が印刷される訳ではなく余白領域となる。そして、この場合、上記の幅合せラインＣ１に沿ってテープＴを長手方向にカットすれば、同図（ａ）のラベルＲ０を作成できる。なお、以下の説明においても同様であるが、対応する図面では、理解を助けるため、説明の要所となる部分を少し誇張して描いている。例えば上記の例では無用部分の斜線部分の幅はＴｗ−Ｌｗ＝４ｍｍであり、テープ幅Ｔｗ＝１８に対して実際には図示より小さくなるが、少し誇張して描いている。
【００８６】
次に、前述の「切捨てライン」は、主に（正確には後述するが）テープ幅Ｔｗより設定されたラベル幅Ｌｗが大きいとき、すなわちテープ幅Ｔｗ＜ラベル幅Ｌｗの関係となったときに利用される。例えば装着されたテープＴのテープ幅Ｔｗ＝１８ｍｍ、設定されたラベル幅Ｌｗ＝２２ｍｍ、「スリットライン」としては「両方」を選択して設定した状態で、図７に示すように、前述と同様の文字列「ＡＢＣＤＥ」が用意された状態（Ｔ１０）で、ユーザにより印刷が指示されると（印刷キー３２２が押されると）、例えば図８に示すように、同図（ａ）の所望のラベルＲ２に対し、同図（ｂ）、（ｃ）のように、２枚のテープＴに分割印刷する。
【００８７】
そこで、図７に示すように、上記の文字列「ＡＢＣＤＥ」が用意された状態（Ｔ１０）で、印刷キー３２２が押されると、次に、分割印刷する旨、および分割数ｎ（上記の図８の例ではｎ＝２なので、この例で図示）を確認するメッセージを表示する（Ｔ３０）。ここで、さらに分割数ｎを大きく（例えばｎ＝３と）したいときには、ユーザは、数字キー群３１３によりその分割数（例えば３）を入力して設定することもできる。一方、その表示された分割数ｎ（＝２）で良いときには、図示のように、選択キー３２３を押すことにより、表示された分割数ｎ（＝２）をそのまま設定できる。
【００８８】
上記の確認メッセージが表示された状態（Ｔ３０）で、ユーザにより選択キー３２３が押されると、次に、「印刷位置」の選択画面を表示する（Ｔ３１）。この選択画面では、例えば分割数ｎ＝２の場合、「全部」、「１枚目」および「２枚目」の選択肢を表示する。ユーザはこれらの選択肢のうちのいずれかを、カーソルキー３３０を操作して選択表示させ、選択キー３２３を押すことにより選択表示された選択肢を選択・指定できる。ここで、ユーザにより例えば「１枚目」の選択肢が選択されると、元の印刷画像をｎ（ここではｎ＝２）に分割した（ｉ＝）１番目の分割印刷画像のみを印刷する、例えば図８の例では、同図（ｂ）の（ｉ＝）１番目の分割印刷画像のみを印刷する。同様に、「２枚目」の選択肢が選択されると、（ｉ＝）２番目の分割印刷画像のみ、例えば図８（ｃ）の（ｉ＝）２番目の分割印刷画像のみを印刷する。また、図示のように、「全部」の選択肢が選択表示された状態（Ｔ３１）で、ユーザにより選択キー３２３が押されると、「全部」の選択肢が選択される。この場合、例えば図８の例では、同図（ｂ）および（ｃ）の（ｉ＝）１番目および２番目の分割印刷画像を順に印刷する。
【００８９】
上記の「全部」の選択肢が選択表示された状態（Ｔ３１）で、ユーザにより選択キー３２３が押されると、１枚目および２枚目の印刷中のメッセージの表示とともに、１枚目のテープＴには（ｉ＝）１番目の分割印刷画像を印刷し、２枚目のテープＴには（ｉ＝）２番目の分割印刷画像を印刷して（Ｔ３２〜Ｔ３３）、印刷が終了すると、元のテキスト編集画面に戻る（Ｔ３４：Ｔ１０と同じ）。このようにして、例えば図８の例では、同図（ｂ）および（ｃ）の（ｉ＝）１番目および２番目の分割印刷画像が順に印刷される。なお、印刷の途中の状態（Ｔ３２〜Ｔ３３）で、ユーザにより取消キー３２６が押されると、その時点で印刷を終了して元の「印刷位置」の選択画面に戻る（Ｔ３１）ので、ユーザは印刷中であっても任意の時点でその印刷を中止できる。
【００９０】
上記の図８の例の場合、同図（ｂ）の（ｉ＝）１枚目のテープＴの下端部（設定端側の端部）には、切捨てラインＣ４、すなわち下端部の超幅印刷回避領域の印刷回避幅ｄ分を切り捨てるためのスリットライン（点線）Ｃ４が印刷される。図示の点網掛け装飾は印刷結果としての不要部分（無用部分）を示すものであり、実際に点網掛け装飾されたものが印刷される訳ではなく余白領域となる。同様に、同図（ｃ）の（ｉ＝）２枚目のテープＴの上端部（基準端側の端部）には、切捨てラインＣ３、すなわち上端部の超幅印刷回避領域の印刷回避幅ｄ分を切り捨てるためのスリットライン（点線）Ｃ３が印刷される。また、この（ｉ＝）２枚目のテープＴには、図５（ｂ）で前述の幅合せラインＣ１が印刷される。そして、この場合、上記の切捨てラインＣ４、切捨てラインＣ３および幅合せラインＣ１に沿ってテープＴを長手方向にカットし、隣接して貼れば、同図（ａ）の所望のラベルＲ２を作成できる。図示の一点鎖線は、（ｉ＝）１枚目と（ｉ＝）２枚目のテープＴをカットして貼ったときの境界線Ｃ０を示す仮想線であり、実際に印刷される線ではない。
【００９１】
そして、この場合、上記の切捨てラインＣ３は、印刷結果のテープＴの有用部分と無用部分との境界線を示すものであると同時に、元の印刷画像を分割数ｎ＝２に分割した（ｉ＝）２番目の分割印刷画像の上端（基準端側の端）を示すものである。また、カット後の境界線Ｃ０を示すものであり、言い替えれば（ｉ＝）１番目の分割印刷画像との境界線を示すものである。同様に、上記の切捨てラインＣ４は、印刷結果のテープＴの有用部分と無用部分との境界線を示すと同時に、元の印刷画像を分割数ｎ＝２に分割した（ｉ＝）１番目の分割印刷画像の下端（設定端側の端）を示し、カット後の境界線Ｃ０、すなわち（ｉ＝）２番目の分割印刷画像との境界線を示すものである。
【００９２】
そこで、以下、上述した内容について、さらに一般的な概念として原理的な説明を加える。なお、上述の例では、切捨てラインや幅合せラインはカットのためのライン、すなわちカットラインであったが、カットの目安としてはライン（線）でなくとも、例えば後述の図１９（ｃ）〜（ｅ）のように長手方向両端のマークでも良いので、以下、より広い概念としてカットの目安となるマークをカットマークという。さらに、図８で上述のように分割印刷画像を接合する場合、隣接する分割印刷画像の双方の端（境界線Ｃ０）をカットするばかりでなく、例えば後述の図１５のように一方を糊代として残して重ねて貼っても良いので、この糊代とするためのマークを糊代マークとし、カットマークも糊代マークも双方とも（カットや重ねて貼るための）画像としての境界線を示すので、これらを統合して、より広い概念として境界マークという。
【００９３】
前述のように、また、図５、図６、図８および図９等にも示すように（図１２以降も同様）、テープ印刷装置１では、テープ幅ＴｗのテープＴの幅方向両端部に所定の印刷回避幅ｄの超幅印刷回避領域を設けて、印刷対象幅ｐ（ｐ＝Ｔｗ−２ｄ）の印刷対象領域に印刷画像を印刷する。このため、従来なら、超幅印刷回避領域を設けた場合に、作成されたラベルの幅方向両端の余白が所望の幅にならなかったり、分割印刷して接合する場合の接合部に画像としての隙間（余白等）が発生したり、などの不具合を生じることがあったが、テープ印刷装置１では、これらの点を以下のように解決している。
【００９４】
まず、全体として、テープ印刷装置１では、任意のテープＴを印刷対象物として装着し、装着されたテープＴの印刷回避幅ｄおよび印刷対象幅ｐを決定するとともに、任意のラベル幅Ｌｗを設定し、そのラベル幅Ｌｗ、印刷回避幅ｄおよび印刷対象幅ｐに基づいて、印刷結果のテープＴの有用部分と無用部分との境界線を示す１種以上の境界マークを、印刷画像に付加し、１種以上の境界マークが付加された印刷画像をテープＴに印刷する。この場合、設定された任意のラベル幅Ｌｗや、印刷回避幅ｄおよび印刷対象幅ｐに基づいて、有用部分と無用部分との境界線を示す１種以上の境界マークを印刷画像に付加して印刷するので、印刷された境界マークに基づいて、テープＴを長手方向にカットしたり、分割印刷した複数枚のテープＴを接合したりすることができる。したがって、テープＴの幅方向両端部に所定の印刷回避幅ｄの超幅印刷回避領域を設けて印刷画像を印刷しつつ、超幅印刷回避領域を設けない場合と同等の任意幅（ラベル幅）Ｌｗのラベル等を作成できる。
【００９５】
より具体的に、テープ印刷装置１では、印刷回避幅ｄおよび印刷対象幅ｐはテープ幅Ｔｗに対応して定められていて、前述のテープ識別センサにより、装着されたテープＴのテープ幅Ｔｗを検出し、検出したテープ幅Ｔｗに応じて対応する所定の印刷回避幅ｄおよび印刷対象幅ｐを設定する。すなわち、印刷回避幅ｄおよび印刷対象幅ｐはテープ幅Ｔｗに対応して定められているので、装着されたテープＴのテープ幅Ｔｗを検出することにより、それに対応する所定のものを印刷回避幅ｄおよび印刷対象幅ｐとして決定して容易に設定できる。
【００９６】
また、図５でも前述のように（図６、図８および図９等でも同じ）、テープＴのテープ幅方向両端の一方（図示の例の場合、上端）を基準端、他方（図示の例の場合、下端）を設定端としたとき、印刷画像の設定端（下端）側の端部に、ラベル幅Ｌｗの内側と外側との境界線を示す第１境界マーク（図５等の幅合せライン）Ｃ１を、境界マークの１種として付加する。すなわち、この印刷画像を印刷したときに、その印刷画像の設定端（下端）側の端部に、第１境界マークＣ１が印刷されるので、ユーザは、その第１境界マークＣ１を参照して長手方向のカット等の処理を容易に行うことができる。また、この第１境界マークＣ１は、ラベル幅Ｌｗの内側と外側との境界線を示すので、カット等により、設定されたラベル幅Ｌｗに適合するラベルを作成できる。
【００９７】
なお、図示とは逆に、下端を基準端とし上端を設定端としても良く、その場合でも同様に、印刷画像の設定端（上端）側の端部に、第１境界マークＣ１が印刷されるので、ユーザは、その第１境界マークＣ１を参照して長手方向のカット等の処理を容易に行うことができ、第１境界マークＣ１は、ラベル幅Ｌｗの内側と外側との境界線を示すので、カット等により、設定されたラベル幅Ｌｗに適合するラベルを作成できる。上端および下端の一方を基準端、他方を設定端とすれば、どちらを基準端（または設定端）としても同様なので、以下では、上端を基準端、下端を設定端として説明するものとし、逆の場合の説明は省略する。
【００９８】
ところで、超幅印刷回避領域を設けずにそのまま印刷する場合、印刷画像の幅方向両端部の余白がそのままラベルの幅方向両端部の余白となる。これに対し、超幅印刷回避領域を設けた場合、そのまま印刷すれば、ラベルの幅方向両端部の余白には、印刷画像の幅方向両端部の余白に印刷回避幅ｄ分の余白が加わる。すなわち、印刷回避幅ｄ分だけ余白が大きくなってしまい、これにより、前述のように、作成されたラベルの幅方向両端部の余白が所望の幅にならない不具合が生じる。
【００９９】
そこで、テープ印刷装置１では、図５に示すように、印刷画像の基準端（上端）側に印刷回避幅ｄ以上の幅の余白領域があるときに、印刷画像の基準端側の印刷回避幅ｄ分を削除して、印刷幅Ｐｗ＝Ｌｗ−ｄの部分印刷画像を作成し、印刷対象領域の基準端側の端に部分印刷画像の基準端側の端を合わせて、部分印刷画像を印刷画像の代わりに印刷する。この場合、印刷結果の基準端側の余白は印刷回避幅ｄ分だけ大きくなるが、印刷前に印刷回避幅ｄ分だけ削除しているので、もとの印刷画像の基準端側の余白と一致させることができる。また、印刷対象となった実際の印刷幅Ｐｗは、印刷幅Ｐｗ＝Ｌｗ−ｄであるが、テープの基準端側には、印刷回避幅ｄ分の余白があるので、超幅印刷回避領域を設けずに印刷幅Ｐｗ＝Ｌｗの印刷画像をそのまま印刷したときと、同等の印刷結果が得られる。
【０１００】
一方、図６に示すように、印刷画像の基準端側の余白領域の幅が印刷回避幅ｄ未満のときに、印刷画像の基準端側の端を示す第２境界マークＣ２を、境界マークの１種として付加し、印刷対象幅ｐの印刷対象領域の基準端側の端に印刷画像の基準端側の端を合わせて、印刷幅Ｐｗ＝Ｌｗの印刷画像を印刷する。すなわち、この印刷画像を印刷したときに、その印刷画像の基準端側の端を示す第２境界マークＣ２が印刷されるので、ユーザは、その第２境界マークＣ２を参照してカット等の処理を容易に行うことができる。また、この第２境界マークＣ２は、ラベル幅Ｌｗの内側と外側との境界線を示すので、カット等により、設定されたラベル幅Ｌｗに適合するラベルＲ１を作成できる。
【０１０１】
例えば、装着されたテープＴのテープ幅Ｔｗ＝４０ｍｍに対して規定された印刷回避幅ｄ＝３ｍｍとすると、印刷対象幅ｐ＝Ｔｗ−２ｄ＝４０−６＝３４ｍｍとなる。この場合、設定されたラベル幅Ｌｗ＝３０ｍｍで、かつ、印刷画像の基準端（上端）側に印刷回避幅ｄ以上、例えば５ｍｍの幅の余白領域があるときには、図５で上述のように、印刷画像の基準端側の印刷回避幅ｄ分を削除して、印刷幅Ｐｗ＝Ｌｗ−ｄ＝３０−３＝２７ｍｍの部分印刷画像を作成し、印刷対象幅ｐ＝３４ｍｍの印刷対象領域の基準端側の端に部分印刷画像の基準端側の端を合わせて、部分印刷画像を印刷画像の代わりに印刷する。この場合、印刷結果の基準端側の余白は印刷回避幅ｄ＝３ｍｍ分だけ大きくなるが、印刷前に印刷回避幅ｄ＝３ｍｍ分だけ削除しているので、もとの印刷画像の基準端側の余白と一致させることができる。また、印刷対象となった実際の印刷幅Ｐｗは、印刷幅Ｐｗ＝Ｌｗ−ｄ＝２７ｍｍであるが、テープＴの基準端側には、印刷回避幅ｄ＝３ｍｍ分の余白があるので、超幅印刷回避領域を設けずに印刷幅Ｐｗ＝Ｌｗ＝３０ｍｍの印刷画像をそのまま印刷したときと、同等の印刷結果が得られる。なお、この場合、印刷画像の設定端（下端）側の端部に、ラベル幅Ｌｗの内側と外側との境界線（この例では基準端から３０ｍｍの位置）を示す第１境界マークＣ１が付加されて印刷される。
【０１０２】
一方、上記と同様に、テープ幅Ｔｗ＝４０ｍｍに対して印刷回避幅ｄ＝３ｍｍ、印刷対象幅ｐ＝Ｔｗ−２ｄ＝３４ｍｍの場合に、同じ大きさの文字列で余白を小さく、例えば２ｍｍとした印刷画像を印刷するために、ラベル幅Ｌｗ＝２４ｍｍを設定すると、印刷画像の基準端側の余白領域の幅が印刷回避幅ｄ未満、すなわち２ｍｍなので、図６に示すように、印刷画像の基準端側の端（すなわちテープＴの基準端から３ｍｍの位置）を示す第２境界マークＣ２を、境界マークの１種として付加し、印刷対象幅ｐ＝３４ｍｍの印刷対象領域の基準端側の端（テープＴの基準端から３ｍｍの位置）に印刷画像の基準端側の端を合わせて、印刷幅Ｐｗ＝Ｌｗ＝２４ｍｍの印刷画像を印刷する。すなわち、この印刷画像を印刷したときに、その印刷画像の基準端側の端を示す第２境界マークＣ２が印刷されるので、ユーザは、その第２境界マークＣ２を参照して印刷回避幅ｄ＝３ｍｍ分のカット等の処理を容易に行うことができる。また、この第２境界マークＣ２は、ラベル幅Ｌｗの内側と外側との境界線を示すので、カット等により、設定されたラベル幅Ｌｗ＝２４ｍｍに適合するラベルＲ１を作成できる。なお、この場合、印刷画像の設定端（下端）側の端部に、ラベル幅Ｌｗの内側と外側との境界線（この例では基準端から２７ｍｍの位置）を示す第１境界マークＣ１が付加されて印刷される。
【０１０３】
上記と同様のことは、分割印刷する場合にも適用される。まず、図８に示すように、ラベル幅Ｌｗ、印刷対象幅ｐおよび印刷回避幅ｄについて、Ｌｗ＞ｐ＋ｄの関係が成立し、かつ、印刷画像の基準端側に印刷回避幅ｄ以上の幅の余白領域があるときに、印刷幅Ｐｗ＝Ｌｗ−ｄをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、印刷幅Ｐｗの部分印刷画像を各分割印刷幅Ｐｉ（ｉ＝１〜ｎ）を有するｎ個の分割印刷画像に分割する。この場合、ｎ個の各分割印刷画像の分割印刷幅Ｐｉは、０≦Ｐｉ≦ｐなので、印刷対象幅ｐの印刷対象領域に印刷できるものとなる。
【０１０４】
例えば、装着されたテープＴのテープ幅Ｔｗ＝２４ｍｍに対して規定された印刷回避幅ｄ＝３ｍｍとすると、印刷対象幅ｐ＝Ｔｗ−２ｄ＝２４−６＝１８ｍｍとなる。この場合、設定されたラベル幅Ｌｗ＝３０ｍｍで、かつ、印刷画像の基準端（上端）側に印刷回避幅ｄ以上、例えば５ｍｍの幅の余白領域があるときには、図５で上述のように、印刷画像の基準端側の印刷回避幅ｄ＝３ｍｍ分を削除して、印刷幅Ｐｗ＝Ｌｗ−ｄ＝３０−３＝２７ｍｍの部分印刷画像を作成し、印刷対象幅ｐ＝３４ｍｍの印刷対象領域の基準端側の端に部分印刷画像の基準端側の端を合わせて、部分印刷画像を印刷画像の代わりに印刷する。
【０１０５】
ただし、ここでは、Ｌｗ（＝３０ｍｍ）＞ｐ＋ｄ（＝１８＋３＝２１）の関係が成立するので、例えば印刷幅Ｐｗ＝Ｌｗ−ｄ＝２７ｍｍをｎ個（ここではｎ＝２）の分割印刷幅Ｐｉ（ここではＰ１およびＰ２、ただし、Ｐ１＝１８ｍｍ、Ｐ２＝９ｍｍ、総和ΣＰｉ＝Ｐ１＋Ｐ２＝２７＝Ｐｗ）に割り当て、印刷幅Ｐｗの部分印刷画像を各分割印刷幅Ｐ１、Ｐ２を有する（ｎ＝）２個の分割印刷画像に分割する。この場合、２個の各分割印刷画像の分割印刷幅Ｐ１（ｉ＝１）、Ｐ２（ｉ＝２）は、０≦Ｐｉ≦ｐ、すなわちＰ１＝１８ｍｍ、Ｐ２＝９ｍｍなので、印刷対象幅ｐ＝１８ｍｍの印刷対象領域に印刷できるものとなる。なお、後述する例も同様であるが、この場合Ｐ１＝１５ｍｍ、Ｐ２＝１２ｍｍとするなど、分割の割り当ては総和ΣＰｉが同じである限り任意である。ただし以下においても、理解し易さ、処理の容易さから、最後の（ｉが最大の）分割印刷幅Ｐｉ以外はＰｉ＝ｐとして説明する。
【０１０６】
また、この場合、ｎ個の分割印刷画像のうちの分割印刷幅Ｐｊ（ｊ＝２〜ｎ）を有するｎ−１個の分割印刷画像に、各分割印刷画像の基準端側の端を示す第３境界マーク（図８で前述の切捨てライン）Ｃ３を、境界マークの１種として付加し、ｎ個の分割印刷画像のうちの分割印刷幅Ｐｋ（ｋ＝１〜ｎ−１）を有するｎ−１個の分割印刷画像に、各分割印刷画像の設定端側の端を示す第４境界マーク（図８で前述の切捨てライン）Ｃ４を、境界マークの１種として付加して、印刷対象領域にｎ個のうちの１個の分割印刷画像を順次または任意に印刷する。すなわち、図７で前述のように「全部」を選択したときには全部の分割印刷画像を順次、または「１枚目」等の任意の分割印刷画像を選択したときには任意に選択したその分割印刷画像を印刷する。
【０１０７】
例えば上記の例では、図８に示すように、（ｎ＝）２個の分割印刷画像のうちの分割印刷幅Ｐｊ（ｊ＝２〜ｎ）を有するｎ−１個、すなわち同図（ｃ）の分割印刷幅Ｐ２を有する１個、の分割印刷画像に、分割印刷画像の基準端側の端（すなわちテープＴの基準端から３ｍｍの位置）を示す第３境界マークＣ３を、境界マークの１種として付加する。また、ｎ個の分割印刷画像のうちの分割印刷幅Ｐｋ（ｋ＝１〜ｎ−１）を有するｎ−１個、すなわち同図（ｂ）の分割印刷幅Ｐ１を有する１個、の分割印刷画像に、分割印刷画像の設定端側の端（すなわちテープＴの設定端から３ｍｍの位置）を示す第４境界マークＣ４を、境界マークの１種として付加して、印刷対象領域に（ｎ＝）２個のうちの１個の分割印刷画像を順次または任意に印刷する。例えば「全部」を選択すると、同図（ｂ）の（ｉ＝）１番目の分割印刷画像に続いて、同図（ｃ）の（ｉ＝）２番目の分割印刷画像を印刷する。もちろん、「１枚目」を選択することにより、同図（ｂ）の（ｉ＝）１番目の分割印刷画像のみを、「２枚目」を選択することにより、同図（ｃ）の（ｉ＝）２番目の分割印刷画像のみを、任意に印刷できる。
【０１０８】
この場合、ｊ番目の分割印刷画像を印刷したときには、その分割印刷画像の第３境界マークＣ３はｊ−１番目との境界を示すことになるので、その外側（基準端側）は無用部分となり、同様に、ｋ番目の分割印刷画像をしたときには、その第４境界マークＣ４はｋ＋１番目との境界を示すことになるので、その外側（設定端側）は無用部分となる。すなわち、上記の例では、前述のように、同図（ｃ）の（ｊ＝）２番目の分割印刷画像の第３境界マーク（前述の切捨てライン）Ｃ３は、印刷結果のテープＴの有用部分と無用部分との境界線を示すものであると同時に、元の印刷画像を分割数ｎ＝２に分割した（ｉ＝ｊ＝）２番目の分割印刷画像の上端（基準端側の端）を示し、カット後の境界線Ｃ０を示し、（ｉ＝ｊ−１＝）１番目の分割印刷画像との境界線を示すものである。同様に、（ｋ＝）１番目の分割印刷画像の第４境界マーク（前述の切捨てライン）Ｃ４は、印刷結果のテープＴの有用部分と無用部分との境界線を示すと同時に、元の印刷画像を分割数ｎ＝２に分割した（ｉ＝ｋ＝）１番目の分割印刷画像の下端（設定端側の端）を示し、カット後の境界線Ｃ０、すなわち（ｉ＝ｋ＋１＝）２番目の分割印刷画像との境界線を示すものである。このため、ユーザは、第３境界マークＣ３や第４境界マークＣ４を参照して無用部分のカット等の処理を容易に行うことができる。
【０１０９】
ここで、従来の問題点を復習しておくと、例えば図１０（ａ）に示すように、超幅印刷回避領域を設け、かつ分割印刷した場合、分割印刷画像をそのまま隣接して貼り合わせても、同図（ｂ）のように印刷回避幅ｄ分を重ねて貼り合わせても（重ねられた裏側のテープＴの端を仮想的に一点鎖線で図示）、分割印刷画像の接合部に画像としての隙間（余白等）が発生する。すなわち隣接する分割印刷画像の双方に印刷回避幅ｄ分の余白があるため、そのままではぴったりと接合できない。
【０１１０】
この場合、同図（ｃ）のように双方の印刷回避幅ｄ分をカットして隣接して貼り合わせるか、同図（ｄ）のように片方の印刷回避幅ｄ分をカットして他方の印刷回避幅ｄ分を糊代として重ねて貼り合わせるなどの方法が考えられるが、印刷回避幅ｄ分をカットしようにも、従来のテープ印刷装置では、印刷回避幅ｄを考慮していないため、カットの目安がない。このため、目分量でカットせざるを得ず、カットの過不足が生じて、接合部の画像に隙間や段差ができたり（同図（ｃ）参照）、整合しない余白が残る（同図（ｄ）参照）、などの不具合を生じることがあった。また、図１１（ａ）に示すように、隣接する分割印刷画像の相互間で画像としてのつながりが薄い場合、隙間（余白を含む）や段差ができにくい反面、相互間の距離の目安、すなわちカットの目安がないため、カットや糊代の過不足が発生し、それにより、同図（ｂ）のように接合したときに、設定したラベル幅Ｌｗに適合するラベルを作成することは困難であった。
【０１１１】
これに対して、例えば図８で上述の例では、前述のように、ｊ番目（この例では２番目）の分割印刷画像の第３境界マークＣ３はｊ−１番目（１番目）との境界を示すことになるので、その外側（基準端側）は無用部分となり、ｋ番目（この例では１番目）の分割印刷画像の第４境界マークＣ４はｋ＋１番目（２番目）との境界を示すことになるので、その外側（設定端側）は無用部分となる。このため、第３境界マークＣ３および第４境界マークＣ４を、テープＴを印刷後に長手方向にカットするためのカットマークとすれば、ユーザは、第３境界マークＣ３や第４境界マークＣ４を参照して、すなわちこれらをカットの目安として、無用部分をカットすることにより、各分割印刷画像の隣接部の無用部分をカットでき、これらを隣接して貼ることにより、同図（ａ）のように隣接する分割印刷画像をぴったりと接合できる。また、第３境界マークＣ３をカットマークおよび糊代マークの一方、第４境界マークを他方とした場合も同様であり、片方をカットマークとして参照してカットし、隣接する方を糊代マークとして参照して、カットした方の端を糊代マークに合わせて上に重ねて貼れば、隣接する分割印刷画像をぴったりと接合できる。
【０１１２】
また、分割印刷幅Ｐｉ（Ｐ１、Ｐ２）の総和ΣＰｉ（＝Ｐ１＋Ｐ２＝１８＋９＝２７）＝Ｐｗであり、印刷幅Ｐｗ＝Ｌｗ−ｄ（＝３０−３＝２７）なので、ｉ＝１の分割印刷幅Ｐ１の分割印刷画像の基準端側に印刷回避幅ｄ分の余白が加わることにより、接合結果の幅の総計はラベル幅Ｌｗ（＝Ｐｗ＋ｄ＝２７＋３＝３０）に一致する。すなわち、超幅印刷回避領域を設けずに分割印刷画像を各テープ幅方向両端まで印刷して隣接して貼ったときと、同等の印刷結果が得られ、接合した結果としても同等の所望のラベル幅Ｌｗ（＝３０ｍｍ）のラベルＲ２が作成できる。なお、この場合、印刷画像の設定端（下端）側の端部、すなわち図８（ｃ）の（ｉ＝）２番目の分割印刷画像の設定端側の端部に、ラベル幅Ｌｗの内側と外側との境界線（この例では２枚目の基準端から９＋３＝１２ｍｍの位置）を示す第１境界マークＣ１が付加されて印刷されるので、ユーザは、その第１境界マークＣ１を参照してカットすることにより、所望のラベル幅Ｌｗとすることができる。
【０１１３】
次に、前述の図５と図６との関係と同様のことは、分割印刷する場合にも適用される。すなわち、例えば図９に示すように、ラベル幅Ｌｗおよび印刷対象幅ｐについて、Ｌｗ＞ｐの関係が成立し、かつ、印刷画像の基準端側の余白領域の幅が印刷回避幅ｄ未満のときに、印刷幅Ｐｗをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、印刷幅Ｐｗの印刷画像を各分割印刷幅Ｐｉ（ｉ＝１〜ｎ）を有するｎ個の分割印刷画像に分割するので、図８で前述の例と同様に、ｎ個の各分割印刷画像は、印刷対象幅ｐの印刷対象領域に印刷できる。
【０１１４】
例えば、図８と同様に、装着されたテープＴのテープ幅Ｔｗ＝２４ｍｍに対して規定された印刷回避幅ｄ＝３ｍｍ、印刷対象幅ｐ＝Ｔｗ−２ｄ＝２４−６＝１８ｍｍの場合に、同じ大きさの文字列で余白を小さく、例えば２ｍｍとした印刷画像を印刷するために、ラベル幅Ｌｗ＝２４ｍｍを設定すると、印刷画像の基準端側の余白領域の幅が印刷回避幅ｄ未満、すなわち２ｍｍなので、図６で前述のように、印刷画像の基準端側の端（すなわち１枚目のテープＴの基準端から３ｍｍの位置）を示す第２境界マークＣ２を、境界マークの１種として付加し、印刷対象幅ｐ＝１８ｍｍの印刷対象領域の基準端側の端（テープＴの基準端から３ｍｍの位置）に印刷画像の基準端側の端を合わせて、印刷幅Ｐｗ＝Ｌｗ＝２４ｍｍの印刷画像を印刷する。この第２境界マークＣ２は、図６で前述の例と同様に、テープＴを印刷後に長手方向にカットするためのカットマークであり、印刷画像の基準端側の端、すなわちラベル幅Ｌｗの内側と外側との境界線を示すものであり、印刷画像を印刷したときに印刷されるので、ユーザは、その第２境界マークＣ２を参照してカットすることにより、設定されたラベル幅Ｌｗに適合するラベルＲ３を作成できる。
【０１１５】
ただし、この図９の例では、ラベル幅Ｌｗ＝２４ｍｍおよび印刷対象幅ｐ＝１８ｍｍについて、Ｌｗ（＝２４ｍｍ）＞ｐ（＝１８ｍｍ）の関係が成立するので、例えば印刷幅Ｐｗ＝２４ｍｍをｎ個（ここではｎ＝２）の分割印刷幅Ｐｉ（ここではＰ１およびＰ２、ただし、Ｐ１＝１８ｍｍ、Ｐ２＝６ｍｍ、総和ΣＰｉ＝Ｐ１＋Ｐ２＝１８＋６＝２４＝Ｐｗ）に割り当て、印刷幅Ｐｗの印刷画像を各分割印刷幅Ｐ１、Ｐ２を有する（ｎ＝）２個の分割印刷画像に分割する。この場合、図８で前述の例と同様に、Ｐ１＝１８ｍｍ、Ｐ２＝９ｍｍなので、印刷対象幅ｐ＝１８ｍｍの印刷対象領域に印刷できる。
【０１１６】
また、この場合、図８の例と同様に、（ｎ＝）２個の分割印刷画像のうちの分割印刷幅Ｐｊ（ｊ＝２〜ｎ）を有するｎ−１個、すなわち図９（ｃ）の分割印刷幅Ｐ２を有する１個、の分割印刷画像に、分割印刷画像の基準端側の端（すなわちテープＴの基準端から３ｍｍの位置）を示す第３境界マークＣ３を、境界マークの１種として付加し、分割印刷幅Ｐｋ（ｋ＝１〜ｎ−１）を有するｎ−１個、すなわち同図（ｂ）の分割印刷幅Ｐ１を有する１個、の分割印刷画像に、分割印刷画像の設定端側の端（すなわちテープＴの設定端から３ｍｍの位置）を示す第４境界マークＣ４を付加して、印刷対象領域に（ｎ＝）２個のうちの１個の分割印刷画像を順次または任意に印刷する。また、ｊ番目（この例では２番目）の分割印刷画像の第３境界マークＣ３はｊ−１番目（１番目）との境界を示し、ｋ番目（この例では１番目）の分割印刷画像の第４境界マークＣ４はｋ＋１番目（２番目）との境界を示すため、それらを参照して無用部分のカット等の処理を容易に行うことができる。
【０１１７】
また、（ｎ＝）２個の分割印刷画像を印刷して第３境界マークＣ３や第４境界マークＣ４が示す無用部分を全てカットして隣接したり、有用部分を隣接する無用部分に重ねて、ぴったりと貼り付けて接合でき、総和ΣＰｉ（＝Ｐ１＋Ｐ２＝１８＋６＝２４）＝Ｐｗ＝Ｌｗなので、接合結果の幅の総計はラベル幅Ｌｗに一致する。すなわち、超幅印刷回避領域を設けずに分割印刷画像を各テープ幅方向両端まで印刷して隣接して貼ったときと、同等の印刷結果が得られ、接合した結果としても同等の所望のラベル幅Ｌｗ（＝２４ｍｍ）のラベルＲ３を作成できる。なお、この場合、印刷画像の設定端（下端）側の端部、すなわち図９（ｃ）の（ｉ＝）２番目の分割印刷画像の設定端側の端部に、ラベル幅Ｌｗの内側と外側との境界線（この例では２枚目の基準端から６＋３＝９ｍｍの位置）を示す第１境界マークＣ１が付加されて印刷されるので、ユーザは、その第１境界マークＣ１を参照してカットすることにより、所望のラベル幅Ｌｗとすることができる。
【０１１８】
次に、例えば、装着されたテープＴのテープ幅Ｔｗ＝２０ｍｍに対して規定された印刷回避幅ｄ＝３ｍｍとすると、印刷対象幅ｐ＝Ｔｗ−２ｄ＝２０−６＝１４ｍｍとなる。この場合、例えば図１２に示すように、所望のラベルＲ４の幅として設定されたラベル幅Ｌｗ＝４８ｍｍで、かつ、印刷画像の基準端（上端）側に印刷回避幅ｄ以上、例えば８ｍｍの幅の余白領域があるときには、図５や図８で上述のように、印刷画像の基準端側の印刷回避幅ｄ＝３ｍｍ分を削除して、印刷幅Ｐｗ＝Ｌｗ−ｄ＝４８−３＝４５ｍｍの部分印刷画像を作成し、印刷対象幅ｐ＝１４ｍｍの印刷対象領域の基準端側の端に部分印刷画像の基準端側の端を合わせて、部分印刷画像を印刷画像の代わりに印刷する。
【０１１９】
この場合、図５や図８の例と同様に、Ｌｗ（＝４８ｍｍ）＞ｐ＋ｄ（＝１４＋３＝１７）の関係が成立するので、前述と同様に、例えば印刷幅Ｐｗ＝Ｌｗ−ｄ＝４５ｍｍをｎ個（ここではｎ＝３）の分割印刷幅Ｐｉ（ここではＰ１、Ｐ２、Ｐ３およびＰ４、ただし、Ｐ１＝Ｐ２＝Ｐ３＝１４ｍｍ、Ｐ４＝３、総和ΣＰｉ＝Ｐ１＋Ｐ２＋Ｐ３＋Ｐ４＝４５＝Ｐｗ）に割り当て、印刷幅Ｐｗ＝４５の印刷画像を各分割印刷幅Ｐ１、Ｐ２、Ｐ３、Ｐ４を有する（ｎ＝）４個の分割印刷画像に分割して、それらを印刷することもできる（別の方法を後述）。この場合、印刷画像の設定端（下端）側の端部、すなわち（ｉ＝）４番目の分割印刷画像の設定端側の端部に、ラベル幅Ｌｗの内側と外側との境界線（この例では４枚目の基準端から３＋３＝６ｍｍの位置）を示す第１境界マークＣ１が付加されて印刷される。この第１境界マークＣ１は、前述のように、テープＴを印刷後に長手方向にカットするためのカットマークであり、印刷画像の設定端側の端、すなわちラベル幅Ｌｗ（＝４８ｍｍ）の内側と外側との境界線を示すものであり、印刷画像を印刷したときに印刷されるので、ユーザは、その第１境界マークＣ１を参照してカットすることにより、設定されたラベル幅Ｌｗ（＝４８ｍｍ）に適合するラベルを作成できる。
【０１２０】
ところで、上述の例では、最後（ｉ＝４番目）の分割印刷幅Ｐ４は印刷回避幅ｄと一致し、Ｐ４＝ｄとなっている。すなわち、印刷幅Ｐｗについて、Ｐｗ＝ｈ×ｐ＋ｄ（ただし、ｈは１以上の任意の整数）が成立している。また、図１２から明らかなように、この例では、基準端側の余白領域（８ｍｍ幅）と同様の印刷回避幅ｄ以上の幅の余白領域が、印刷画像の設定端側にもある。このため、ｉ＝４番目の分割印刷画像は全て余白の画像となる。前述の図５、図６、図８および図９の例では、全て、印刷画像の設定端（下端）側の端部に、ラベル幅Ｌｗの内側と外側との境界線を示す第１境界マークＣ１を付加して印刷したが、上述のような場合、テープ印刷装置１では、１個前（上記の例ではｉ＝３）の設定端側の分割印刷幅ｄの印刷回避領域を、最後（ｉ＝４）の分割印刷画像の代用とし、第１境界マークＣ１の付加を省略する。すなわち、テープ印刷装置１では、印刷幅Ｐｗについて、Ｐｗ＝ｈ×ｐ＋ｄ（ただし、ｈは１以上の任意の整数）が成立し、かつ、印刷画像の設定端側に印刷回避幅ｄ以上の幅の余白領域があるときに、第１境界マークＣ１の付加を省略し、印刷画像の設定端側の印刷回避幅ｄ分を削除した画像を印刷画像の代わりに印刷する。ここで、印刷幅Ｐｗ＝ｈ×ｐ＋ｄ（ただし、ｈは１以上の任意の整数）が成立する場合とは、ｈ枚分のテープの印刷対象幅ｐの総和ｈ×ｐより印刷回避幅ｄ分だけ大きな印刷幅Ｐｗの場合である。
【０１２１】
例えば上述の図１２の場合、印刷幅Ｐｗ（＝４５）＝ｈ（ここではｈ＝３）×ｐ（＝１４）＋ｄ（＝３）＝４２＋３が成立するので、第１境界マークＣ１の付加を省略し、印刷画像の設定端側の印刷回避幅ｄ分を削除した画像を印刷画像の代わりに印刷する。このため、この場合の印刷画像は、設定端側の印刷回避幅ｄ分を削除した画像、すなわち印刷幅Ｐｗｓ＝Ｐｗ−ｄ＝４５−３＝４２ｍｍの画像となる。図１３に示すように、印刷幅Ｐｗｓ＝４２ｍｍをｎ個（ここではｎ＝ｈ＝３）の分割印刷幅Ｐｉ（ここではＰ１、Ｐ２およびＰ３、ただし、Ｐ１＝Ｐ２＝Ｐ３＝１４ｍｍ、総和ΣＰｉ＝Ｐ１＋Ｐ２＋Ｐ３＝４２＝Ｐｗｓ）に割り当て、印刷幅Ｐｗｓの部分印刷画像を各分割印刷幅Ｐ１、Ｐ２、Ｐ３を有する（ｎ＝）３個の分割印刷画像に分割する。この場合、３個の各分割印刷画像の分割印刷幅Ｐ１（ｉ＝１）、Ｐ２（ｉ＝２）、Ｐ３（ｉ＝３）は、０≦Ｐｉ≦ｐ、すなわちＰ１＝Ｐ２＝Ｐ３＝１４ｍｍなので、印刷対象幅ｐ＝１４ｍｍの印刷対象領域に印刷できるものとなる。
【０１２２】
また、前述のように、超幅印刷回避領域を設けずにそのまま印刷する場合と異なり、超幅印刷回避領域を設けた場合、そのまま印刷すれば、ラベルの幅方向両端部の余白は、印刷回避幅ｄ分だけ大きくなる。このため、印刷幅Ｐｗｓ＝ｈ×ｐ分だけ（すなわちＰｗ−ｄ分だけ）印刷すれば、それに印刷回避幅ｄが加わり、超幅印刷回避領域を設けずにそのまま印刷幅Ｐｗ分を印刷する場合と同等になる。また、この場合、印刷画像の設定端側に印刷回避幅ｄ以上の幅の余白領域があるので、そのうちの印刷回避幅ｄ分を印刷回避幅ｄの余白で代用しても何等支障がない。また、この場合、第１境界マークＣ１が示すべき境界線はテープＴの設定端と一致するので、カット等の処理をする必要がない。したがって、この図１２〜図１４で上述の例では、第１境界マークＣ１の付加およびその印刷を省略でき、カット等の処理も省略できるとともに、超幅印刷回避領域を設けない場合と同等の印刷結果が得られる。
【０１２３】
なお、この例では、基準端側と設定端側との双方に同様の余白領域を有する例としたが、設定端側にのみ印刷回避幅ｄ以上の余白領域が有る場合、基準端側の処理が図６や図９と同様で印刷幅Ｐｗ＝Ｌｗとなるのを除けば、同様に処理でき、すなわち、同様に第１境界マークＣ１を省略できる。また、この例では、ｈを複数としたが、１枚（ｈ＝１）のテープＴに印刷できる場合も同様である。
【０１２４】
一方、上記の例の場合も、図１４に示すように、図８や図９の例と同様に、（ｎ＝）３個の分割印刷画像のうちの分割印刷幅Ｐｊ（ｊ＝２〜ｎ）を有するｎ−１個、すなわち同図（ｂ）および（ｃ）の分割印刷幅Ｐ２、Ｐ３を有する（ｎ−１＝）２個、の分割印刷画像に、分割印刷画像の基準端側の端（すなわちテープＴの基準端から３ｍｍの位置）を示す第３境界マークＣ３を、境界マークの１種として付加する。また、ｎ個の分割印刷画像のうちの分割印刷幅Ｐｋ（ｋ＝１〜ｎ−１）を有するｎ−１個、すなわち同図（ａ）および（ｂ）の分割印刷幅Ｐ１、Ｐ２を有する（ｎ−１＝）２個、の分割印刷画像に、分割印刷画像の設定端側の端（すなわちテープＴの設定端から３ｍｍの位置）を示す第４境界マークＣ４を、境界マークの１種として付加する。そして、印刷対象領域に（ｎ＝）３個のうちの１個の分割印刷画像を順次または任意に印刷する。このため、ユーザは、第３境界マークＣ３や第４境界マークＣ４を参照して無用部分のカット等を容易に行うことができる。
【０１２５】
そして、この場合、（ｎ＝）３個の分割印刷画像を印刷して第３境界マークＣ３や第４境界マークＣ４が示す無用部分を全てカットして隣接して貼り付けても良いし、例えば図１５に示すように、（ｉ＝）２枚目、（ｉ＝）３枚目の第３境界マークＣ３をカットして、（ｉ＝）１枚目の第４境界マークＣ４を糊代マークとして（ｉ＝）２枚目を、その（ｉ＝）２枚目の第４境界マークＣ４を糊代マークとして（ｉ＝）３枚目を重ねて貼り付けても良い。また、基準端（上端）側の第３境界マークＣ３をカットして設定端（下端）側に重ねたのでは埃やゴミ等がたまり易いなどの事情がある場合に、その逆に、例えば図１６に示すように、（ｉ＝）１枚目、（ｉ＝）２枚目の第４境界マークＣ４をカットして、（ｉ＝）３枚目の第３境界マークＣ３を糊代マークとして（ｉ＝）２枚目を、その（ｉ＝）２枚目の第３境界マークＣ３を糊代マークとして（ｉ＝）１枚目を重ねて貼り付けても良い。また、（ｉ＝）２枚目の第３境界マークＣ３および第４境界マークＣ４をカットして、それぞれ（ｉ＝）１枚目の第４境界マークＣ４および（ｉ＝）３枚目の第３境界マークＣ３を糊代マークとして重ねて貼り付けても良いし、逆に（ｉ＝）１枚目の第４境界マークＣ４および（ｉ＝）３枚目の第３境界マークＣ３をカットして、それぞれ（ｉ＝）２枚目の第３境界マークＣ３および第４境界マークを糊代マークとして重ねて貼り付けても良い。
【０１２６】
これらのいずれの場合であっても、無用部分を全てカットして隣接したり、有用部分を隣接する無用部分に重ねることにより、ぴったりと貼り付けて接合でき、基準端側の印刷回避幅ｄ（＝３）＋総和ΣＰｉ（＝Ｐ１＋Ｐ２＋Ｐ３＝４２）＋設定端側の印刷回避幅ｄ（＝３）＝４８＝Ｌｗなので、接合結果の幅の総計はラベル幅Ｌｗ（＝４８）に一致する。すなわち、超幅印刷回避領域を設けずに分割印刷画像を各テープ幅方向両端まで印刷して隣接して貼ったときと、同等の印刷結果が得られ、接合した結果としても同等の所望のラベル幅Ｌｗ（＝４８ｍｍ）のラベルＲ４を作成できる。すなわち、テープ印刷装置１はサーマル方式のテープ印刷装置であるため、超幅印刷回避領域を設けることになるが、図４〜図１６で上述のように、超幅印刷回避領域を設けない場合と同等の、設定された任意幅（ラベル幅）Ｌｗのラベルを作成できる。
【０１２７】
ところで、図３〜図１６で上述の例は、任意幅をラベル幅Ｌｗとして直接設定し、そのラベル幅Ｌｗのラベルを作成する例であったが、テープ印刷装置１では、従来のテープ印刷装置と同様に、任意の拡大率を設定することにより、基礎となる印刷画像（基礎印刷画像）を拡大した印刷画像（拡大印刷画像）を印刷できる拡大印刷の機能を備えている。そして、この拡大印刷に関しても、従来は、超幅印刷回避領域を考慮していないために、作成されたラベルの幅方向両端の余白が所望の幅にならなかったり、分割印刷して接合する場合の接合部に画像としての隙間（余白等）が発生するなどにより、設定された拡大率に適合するラベル幅のラベルが作成できない、などの不具合を生じることがあった。
【０１２８】
そこで、テープ印刷装置１では、任意のラベル幅Ｌｗを直接設定する場合と同様の処理により、テープＴの幅方向両端部に所定の印刷回避幅ｄの超幅印刷回避領域を設けて、基礎印刷画像を拡大した拡大印刷画像を複数枚のテープＴに分割印刷しても、分割印刷画像を接合する場合に隙間等が生じ難く、かつ、設定された拡大率ｍに適合するラベル幅Ｌｗのラベル等を作成できるようにしている。以下、この点について、第２実施形態として説明する。なお、これに対応させて、前述の任意のラベル幅Ｌｗを設定した場合を第１実施形態とする。また以下では、拡大率ｍの場合、幅方向、長幅向の双方にｍ倍するものを想定するが、幅方向にのみｍ倍する場合も同様となる。
【０１２９】
図１７に示すように、まず、前述の図３等と同様に、１行目の文字列「１２３Ａ」（ここでは、分割数の多い図１２で前述の例に合わせて説明する）を入力後のテキスト編集画面表示の状態（Ｔ４０）で、ユーザにより拡大印刷キー３４５が押されると（操作されると）、図１７に示すように、拡大率ｍの設定に相当する「拡大印刷」の各種書式を設定する第１階層の選択画面を表示する（Ｔ４１）。この選択画面（Ｔ４１）では、選択肢として、拡大率ｍ＝１の「しない」、拡大率ｍ＝２の「２倍でかでか」（表示およびその図示では「でかでか」を「でか２ 」と表現する）、拡大率ｍ＝３の「３倍でかでか」、拡大率ｍ＝４の「４倍でかでか」、……などの選択肢を表示する。ユーザはこれらの選択肢のうちのいずれかを、カーソルキー３３０を操作して選択表示（点網掛けで図示）させ、選択キー３２３を押すことにより、選択表示された選択肢を選択・指定できる。
【０１３０】
ここでは、例えば拡大率ｍ＝３の「３倍でかでか」が選択表示された状態（Ｔ４２）で、ユーザにより選択キー３２３が押されると、「３倍でかでか」が選択され、その第２階層の選択画面に画面遷移する（Ｔ４３）。また、この拡大率ｍを選択する画面では、数字キー群３１３を押す（操作する）ことにより、拡大率ｍを数字により直接入力（直接設定）することもでき、この場合の第２階層の選択画面では、「３倍でかでか」等のタイトルの代わりに、例えば「拡大率２．５」等のタイトルが表示される。
【０１３１】
次に、上記の「３倍でかでか」の選択画面では、印刷する分割印刷画像の選択画面を表示する（Ｔ４３）。この選択画面では、例えば分割数ｎ＝３の場合、図７で前述の「全部」に相当する「３／３」、前述の「１枚目」に相当する「１／３」、および前述の「１枚目」および「２枚目」（すなわち２枚目まで）に相当する「２／３」の選択肢を表示する。もちろん、前述と同様の表示にしても良い。そして、ユーザはこれらの選択肢のうちのいずれかを、カーソルキー３３０を操作して選択表示させ、選択キー３２３を押すことにより選択表示された選択肢を選択・指定できる。ここで、図示のように、例えば「３／３」（すなわち「全部」相当）の選択肢が選択表示された状態（Ｔ４３）で、ユーザにより選択キー３２３が押されると、「３／３」の選択肢が選択され、次に、第３階層の境界マークの有無を選択する選択画面に画面遷移する（Ｔ４４：図１８と共通）。この選択画面では、境界マークを付加して印刷する「いれる」および境界マークを付加しないで印刷する「いれない」のいずれかを選択できる（Ｔ４４）。もちろん、図４で前述のＴ２２の画面のように、境界マークの種類を設定できるようにしても良い。
【０１３２】
図１８に示すように、上記の「いれる」の選択肢が選択表示された状態（Ｔ４４）で、ユーザにより選択キー３２３が押されると、「印刷実行？」の確認メッセージを表示し（Ｔ４５）、この状態で、ユーザにより選択キー３２３が押されると、「拡大印刷中」のメッセージの表示（Ｔ４６）とともに、１枚目のテープＴには（ｉ＝）１番目の分割印刷画像（分割拡大印刷画像）を印刷し、２枚目のテープＴには（ｉ＝）２番目の分割印刷画像を印刷し、３枚目のテープＴには（ｉ＝）３番目の分割印刷画像を印刷して、印刷が終了すると、元のテキスト編集画面に戻る（Ｔ４７：図１７のＴ４０と同じ）。このようにして、例えば図１２の例では、図１４（ａ）〜（ｃ）の（ｉ＝）１番目〜３番目の分割印刷画像が順に印刷される。なお、前述の図７と同様に、１枚目、２枚目および３枚目の印刷とともに、１枚目、２枚目および３枚目の印刷中のメッセージを表示するようにしても良い。また、同様に、ユーザは「拡大印刷中」であっても任意の時点でその印刷を取消キー３２６により中止できる。
【０１３３】
次に、前述の任意のラベル幅Ｌｗを設定する場合と同様に、拡大印刷についても、さらに一般的な概念として原理的な説明を加える。テープ印刷装置１では、テープ幅ＴｗのテープＴの幅方向両端部に所定の印刷回避幅ｄの超幅印刷回避領域を設けて、印刷対象幅ｐ（ｐ＝Ｔｗ−２ｄ）の印刷対象領域に、基礎印刷画像を任意の拡大率により拡大した拡大印刷画像を印刷する。このため、従来なら、前述した種々の不具合を生じたが、テープ印刷装置１では、下記のように解決している。
【０１３４】
まず、全体として、テープ印刷装置１では、任意のテープＴを印刷対象物として装着し、装着されたテープＴの印刷回避幅ｄおよび印刷対象幅ｐを決定する一方、任意の拡大率ｍ（ｍは１以上の実数）を設定し、設定された拡大率ｍに応じて基礎印刷画像の印刷幅のｍ倍に相当する印刷幅をラベル幅Ｌｗとして決定し、基礎印刷画像をｍ倍に拡大することにより、ラベル幅Ｌｗの拡大印刷画像を作成する。また、そのラベル幅Ｌｗ、印刷回避幅ｄおよび印刷対象幅ｐに基づいて、印刷結果のテープＴの有用部分と無用部分との境界線を示す１種以上の境界マークを、拡大印刷画像に付加し、１種以上の境界マークが付加された拡大印刷画像をテープＴに印刷する。
【０１３５】
この場合、ラベル幅Ｌｗや、印刷回避幅ｄおよび印刷対象幅ｐに基づいて、有用部分と無用部分との境界線を示す１種以上の境界マークを拡大印刷画像に付加して印刷するので、印刷された境界マークに基づいて、テープＴを長手方向にカットするなどが容易にできる。また、ラベル幅Ｌｗに応じて複数枚のテープＴに分割印刷する必要がある場合には、その印刷された境界マークに基づいて、分割印刷した複数の分割印刷画像を接合するなどが容易にできる。
【０１３６】
したがって、テープＴの幅方向両端部に所定の印刷回避幅ｄの超幅印刷回避領域を設けて拡大印刷画像を印刷しても、超幅印刷回避領域を設けない場合と同等のラベル等を作成でき、また、拡大印刷画像を複数枚のテープＴに分割印刷しても、分割印刷画像を接合する場合に隙間等が生じ難く、かつ、設定された拡大率ｍに適合した印刷幅（ラベル幅）Ｌｗのラベル等を作成できる。なお、従来、分割印刷画像をテープ幅いっぱいに印刷して接合する都合上、拡大率ｍは一般に整数（整数倍）であったが、ここでは、カットの目安が明確になるので、整数倍でなくとも、例えば１以上の小数でも良い。ただし、拡大率ｍが小数であっても、その拡大率ｍに適合するラベル幅Ｌｗのラベルを作成するという意味では、拡大率ｍが整数の場合と同様なので、以下では説明を簡単にするため、拡大率ｍとして主に整数を用いる。
【０１３７】
そして、上記のように、拡大印刷画像を作成し、設定された拡大率ｍに適合したラベル幅Ｌｗを決定すると、それ以降は、上記の拡大印刷画像を前述の印刷画像とし、決定したラベル幅Ｌｗを前述の設定されたラベル幅Ｌｗとすることにより、基本的には前述の任意のラベル幅Ｌｗを設定した場合（第１実施形態）と同等の処理が行われ、同等の作用・効果等を得られる。このため、以下では、構成や機能等の要点及びそれらによる作用・効果等の説明のみを列記し、具体例としては、前述の種々の例を参照するに止め、詳細な説明は重複となるので省略する。
【０１３８】
まず、テープ印刷装置１では、拡大印刷の場合においても、印刷回避幅ｄおよび印刷対象幅ｐはテープ幅Ｔｗに対応して定められていて、装着されたテープＴのテープ幅Ｔｗを検出し、検出したテープ幅Ｔｗに応じて対応する所定の印刷回避幅ｄおよび印刷対象幅ｐを設定する。すなわち、印刷回避幅ｄおよび印刷対象幅ｐはテープ幅Ｔｗに対応して定められているので、装着されたテープＴのテープ幅Ｔｗを検出することにより、それに対応する所定のものを印刷回避幅ｄおよび印刷対象幅ｐとして決定して容易に設定できる。
【０１３９】
また、テープＴのテープ幅方向両端の一方を基準端、他方を設定端としたとき、拡大印刷画像の設定端側の端部に、ラベル幅Ｌｗの内側と外側との境界線を示す第１境界マークＣ１を、境界マークの１種として付加する（図５、図６、図８、図９参照）。すなわち、この拡大印刷画像を印刷したときに、その拡大印刷画像の設定端側の端部に、第１境界マークＣ１が印刷され、本実施形態では、第１境界マークＣ１は、テープＴを印刷後に長手方向にカットするためのカットマークなので、ユーザは、その第１境界マークＣ１を参照して容易かつ正確にカットすることができ、これにより、設定された拡大率ｍに適合するラベル幅ＬｗのラベルＲ０〜Ｒ３等を作成できる。
【０１４０】
また、前述のように、超幅印刷回避領域を設けない場合と異なり、超幅印刷回避領域を設けた場合、そのまま印刷すれば、拡大印刷画像の幅方向両端部の余白に印刷回避幅ｄ分の余白が加わるので、印刷回避幅ｄ分だけ余白が大きくなってしまい、作成されたラベルの幅方向両端部の余白が所望の幅にならない不具合が生じる。テープ印刷装置１では、拡大印刷画像の基準端側に印刷回避幅ｄ以上の幅の余白領域があるときに、拡大印刷画像の基準端側の印刷回避幅ｄ分を削除して、印刷幅Ｐｗ＝Ｌｗ−ｄの部分拡大印刷画像を作成し、印刷対象領域の基準端側の端に部分拡大印刷画像の基準端側の端を合わせて、部分拡大印刷画像を拡大印刷画像の代わりに印刷する（図５、図８、図１４参照）。この場合、印刷対象となった実際の印刷幅Ｐｗ＝Ｌｗ−ｄであるが、テープＴの基準端側には、印刷回避幅ｄ分の余白があるので、元の拡大印刷画像の基準端側の余白と一致させることができ、超幅印刷回避領域を設けずに印刷幅Ｐｗ＝Ｌｗの拡大印刷画像をそのまま印刷したときと、同等の印刷結果が得られる。
【０１４１】
また、ラベル幅Ｌｗ、印刷対象幅ｐおよび印刷回避幅ｄについて、Ｌｗ＞ｐ＋ｄの関係が成立し、かつ、拡大印刷画像の基準端側に印刷回避幅ｄ以上の幅の余白領域があるときに、印刷幅Ｐｗ＝Ｌｗ−ｄをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、印刷幅Ｐｗの部分拡大印刷画像を各分割印刷幅Ｐｉ（ｉ＝１〜ｎ）を有するｎ個の分割拡大印刷画像に分割する（図８、図１４参照）。この場合、ｎ個の各分割拡大印刷画像の分割印刷幅Ｐｉは、０≦Ｐｉ≦ｐなので、印刷対象幅ｐの印刷対象領域に印刷できる。また、ｎ個の分割拡大印刷画像のうちの分割印刷幅Ｐｊ（ｊ＝２〜ｎ）を有するｎ−１個の分割拡大印刷画像に、各分割拡大印刷画像の基準端側の端を示す第３境界マークＣ３を、ｎ個の分割拡大印刷画像のうちの分割印刷幅Ｐｋ（ｋ＝１〜ｎ−１）を有するｎ−１個の分割拡大印刷画像に、各分割拡大印刷画像の設定端側の端を示す第４境界マークＣ４を、それぞれ境界マークの１種として付加して、印刷対象領域にｎ個のうちの１個の分割拡大印刷画像を、順次または任意に印刷する。
【０１４２】
この場合、ｊ番目の分割拡大印刷画像を印刷したときには、その分割拡大印刷画像の第３境界マークＣ３はｊ−１番目との境界を示し、同様に、ｋ番目の分割拡大印刷画像を印刷したときには、その第４境界マークＣ４はｋ＋１番目との境界を示すので、ユーザは、第３境界マークＣ３や第４境界マークＣ４を参照して無用部分のカット等の処理を容易に行うことができる。また、ｎ個の全ての分割拡大印刷画像を印刷し、それらの第３境界マークＣ３や第４境界マークＣ４が示す無用部分を全てカットして隣接して貼れば、または有用部分を隣接する無用部分に重ねて貼れば（図１５、図１６参照）、ｎ個の分割拡大印刷画像をぴったりと接合できる。また、分割印刷幅Ｐｉの総和ΣＰｉ＝Ｐｗであり、印刷幅Ｐｗ＝Ｌｗ−ｄなので、ｉ＝１の分割印刷幅Ｐ１の分割拡大印刷画像の基準端側に印刷回避幅ｄ分の余白が加わることにより、接合結果の幅の総計はラベル幅Ｌｗに一致する。すなわち、超幅印刷回避領域を設けずに分割拡大印刷画像を各テープ幅方向両端まで印刷して隣接して貼ったときと、同等の印刷結果が得られ、接合した結果としても同等の設定された拡大率ｍに適合するラベル幅Ｌｗのラベルが作成できる。
【０１４３】
また、拡大印刷画像の基準端側の余白領域の幅が印刷回避幅ｄ未満のときに、拡大印刷画像の基準端側の端を示す第２境界マークＣ２を、境界マークの１種として付加し、印刷対象領域の基準端側の端に拡大印刷画像の基準端側の端を合わせて、印刷幅Ｐｗ＝Ｌｗの拡大印刷画像を印刷する（図６、図９参照）。この場合、この拡大印刷画像を印刷したときに、その拡大印刷画像の基準端側の端、すなわちラベル幅Ｌｗの内側と外側との境界線を示す第２境界マークＣ２が印刷され、本実施形態では、第２境界マークＣ２は、テープＴを印刷後に長手方向にカットするためのカットマークなので、ユーザは、その第２境界マークＣ２を参照して容易かつ正確にカットすることができ、これにより、設定された拡大率ｍに適合するラベル幅Ｌｗのラベルを作成できる。
【０１４４】
また、この場合も、ラベル幅Ｌｗおよび印刷対象幅ｐについて、Ｌｗ＞ｐの関係が成立するときには、印刷幅Ｐｗをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、印刷幅Ｐｗの部分拡大印刷画像を各分割印刷幅Ｐｉ（ｉ＝１〜ｎ）を有するｎ個の分割拡大印刷画像に分割するので、ｎ個の各分割拡大印刷画像は、印刷対象幅ｐの印刷対象領域に印刷できる（図９参照）。また、分割印刷幅Ｐｊ（ｊ＝２〜ｎ）を有するｎ−１個の分割拡大印刷画像に、各分割拡大印刷画像の基準端側の端を示す第３境界マークＣ３を付加し、分割印刷幅Ｐｋ（ｋ＝１〜ｎ−１）を有するｎ−１個の分割拡大印刷画像に、各分割拡大印刷画像の設定端側の端を示す第４境界マークＣ４を付加して、印刷対象領域に順次または任意に印刷し、同様に、ｊ番目の分割拡大印刷画像の第３境界マークＣ３はｊ−１番目との境界を示し、ｋ番目の分割拡大印刷画像の第４境界マークＣ４はｋ＋１番目との境界を示すため、それらの外側は無用部分となる。
【０１４５】
このため、例えば第３境界マークＣ３および第４境界マークＣ４の双方を、テープＴを印刷後に長手方向にカットするためのカットマークとすることにより、ユーザは、それらを参照して各分割拡大印刷画像の隣接部の無用部分を容易にカットでき、これらを隣接してぴったりと貼ることができる。また、第３境界マークＣ３により示される無用部分と第４境界マークＣ４により示される無用部分は、ラベルとして並べたときの隣接部分となるため、第３境界マークＣ３を、テープＴを印刷後に長手方向にカットするためのカットマークおよび重ねて貼るための糊代マークの一方とし、第４境界マークＣ４を、カットマークおよび糊代マークの他方として、片方をカットマークとして参照してカットし、隣接する方を糊代マークとして参照して、カットした方の端を糊代マークに合わせて上に重ねて貼れば、隣接する分割拡大印刷画像をぴったりと接合できる。また、これらの場合、総和ΣＰｉ＝Ｐｗ＝Ｌｗなので、接合結果の幅の総計はラベル幅Ｌｗに一致し、超幅印刷回避領域を設けずに分割拡大印刷画像を各テープ幅方向両端まで印刷して隣接して貼ったときと、同等の印刷結果が得られ、接合した結果としても同等の設定された拡大率ｍに適合するラベル幅Ｌｗのラベルを作成できる。
【０１４６】
また、拡大印刷の場合も、印刷幅Ｐｗについて、Ｐｗ＝ｈ×ｐ＋ｄ（ただし、ｈは１以上の任意の整数）が成立し、かつ、拡大印刷画像の設定端側に印刷回避幅ｄ以上の幅の余白領域があるときに、第１境界マークＣ１の付加を省略し、拡大印刷画像の設定端側の印刷回避幅ｄ分を削除した画像を拡大印刷画像の代わりに印刷する（図１４参照）。前述のように、超幅印刷回避領域を設けた場合、印刷結果のラベルの幅方向両端部の余白は、印刷回避幅ｄ分だけ大きくなるため、印刷幅ｈ×ｐ分だけ（すなわちＰｗ−ｄ分だけ）印刷すれば、それに印刷回避幅ｄが加わり、超幅印刷回避領域を設けずにそのまま印刷幅Ｐｗ分を印刷する場合と同等になる。また、拡大印刷画像の設定端側に印刷回避幅ｄ以上の幅の余白領域があるので、そのうちの印刷回避幅ｄ分を印刷回避幅ｄの余白で代用しても何等支障がない。また、第１境界マークＣ１が示すべき境界線はテープＴの設定端と一致するので、カット等の処理をする必要がない。したがって、第１境界マークＣ１の付加およびその印刷を省略でき、カット等の処理も省略できるとともに、超幅印刷回避領域を設けない場合と同等の印刷結果が得られる。
【０１４７】
そして、テープ印刷装置１はサーマル方式のテープ印刷装置であるため、超幅印刷回避領域を設けることになるが、上述のように、超幅印刷回避領域を設けない場合と同等の、設定された拡大率ｍに適合するラベル幅Ｌｗのラベル等を作成できる。
【０１４８】
なお、図５、図６、図８、図９、図１４で上述の各例では、各境界マークＣ１〜Ｃ４をスリットライン（点線）で示した（印刷した）が、これらの境界マークとしては、図１９に示すように、各種の印刷方法が考えられる。すなわち、同図（ａ）の実線や同図（ｂ）の点線（図５等で上述の各例が該当）等のラインにより、画像としての境界線をそのまま示したり、同図（ｃ）〜（ｅ）のように、境界線の始点と終点に相当する位置（テープＴのラベルと成る部分の長手方向の両端）にのみ示すようにしても良い。上述の同図（ａ）〜（ｅ）のいずれを採用しても、カットマークとして使用するときにはカットの目安、糊代マークとして使用するときには重ねて貼るための目安となる。また、同図（ｄ）および（ｅ）は、カット後に隣接して貼る場合の、あるいは糊代として重ねて貼る場合の、前後（図示の左右）の位置合わせマークとしても兼用できる。また、同図（ａ）および（ｂ）の実線や点線等のラインで示す場合、同図（ｆ）に示すように、文字部分と重ならないように示す（印刷する）こともできる。
【０１４９】
また、これらの場合、図２０（ａ）に示すように、１種以上の境界マーク、例えば境界マークＣ４に対して、文字を余分に印刷することにより、片方を糊代として重ねて貼る場合に（図１０（ｄ）参照：この場合、裏（下）側の文字を余分に印刷することにより）、整合しない余白の発生を抑えることができる。なお、図２０において、小さな丸「○」は、印刷のインクのドットをイメージ（模擬）的に示したものである。
【０１５０】
また、図１９（ａ）〜（ｆ）で上述の各種境界マークは、従来と同様に、その中心または中心線によって画像の境界線を示しているが、同図（ｇ）のように、画像の境界線を内側（有用部分側）の端で示し、その外側（無用部分）に所定の幅（印刷幅：境界幅）ｑとなるように、境界マークを付加しても良い。また、上述の同図（ｆ）の考え方を合体させ、文字部分と重ならないように示し（付加し、印刷し）ても良い。この場合の様子をイメージで示したものが図２０（ｂ）であり、例えば境界マークＣ４を、カットや重ね貼りの目安として目立ち易いように所定の印刷幅（境界幅）ｑを有し、かつ、その上端側（基準端側）の端が画像の境界線を示すように（すなわち例えば中心線によって画像の境界線を示す仮想的な境界マークＣＬと同じ境界線を示すように）、付加することができる。
【０１５１】
ところで、上述の各種境界マークをカットの目安にしてテープＴを長手方向にカットする場合、あるいは、上述の各種境界マークを糊代の目安にして重ねて貼る場合、カットや糊代（重ね貼り）の目安とするためには、すなわち正確にカットまたは貼り合わせて所望の幅のラベルを作成するためには、境界マークはある程度目立つ必要がある。かといって、カット後や重ねて貼った後に境界マークの一部でも残ったのでは、作成されたラベルの見栄えが良くない。従来、この種の境界マークとしては、印刷結果のテープＴの有用部分と無用部分との境界線を描く例えば点線等の境界マークが採用されていたが、境界マーク自体（境界マークの中心または中心線）が境界線となるため、細い線で描けば（印刷すれば）、カットや糊代の目安として目立ち難く、かといって、太い線で描けば（印刷すれば）、カット後や重ねて貼った後に境界マークの一部が残ってしまい、見栄えが悪い、という問題点があった。
【０１５２】
このため、カットや重ねて貼るための目安として目立ち易く、かつ、カット後や重ねて貼った後に境界マークが残りにくい、と言う点においては、図１９（ｇ）あるいは図２０（ｂ）で上述の境界マークが好ましいといえる。そこで、以下、この考え方を採用した場合について、すなわち印刷画像を印刷したテープＴの有用部分と無用部分との境界線を示す１種以上の境界マークを、カットや重ね貼りの際の目安として適するように、かつ、カット後にまたは重ねて貼った後に残りにくいように印刷できる画像印刷方法（およびその装置）を、テープ印刷装置１に適用した場合について、第３実施形態として説明する。ただし、前述の第１実施形態および第２実施形態において、各境界マークの役割等の具体例については説明しているので、以下では、最初から一般的な概念として原理的な説明をする。
【０１５３】
まず、本実施形態のテープ印刷装置１では、全体として、印刷対象物であるテープＴに印刷画像を印刷するとともに、印刷結果のテープＴの有用部分と無用部分との境界線を示す１種以上の境界マークを、印刷画像に付加して印刷するが、印刷画像のテープ幅方向に隣接して、所定の印刷幅である境界幅ｑ（ｑ＞０）を有する１種以上の境界マークを印刷し、その境界幅ｑの境界マークの印刷画像側の端が有用部分と無用部分との境界線を示す。従来、例えば点線等による境界マークは、その中心線が有用部分と無用部分との境界線に一致していたが、ここでの境界マークは、所定の境界幅（印刷幅）ｑで印刷され、かつ、その印刷画像側の端が境界線を示す。このため、境界幅ｑをある程度大きくすれば目立ち易くなる。また、カットや重ね貼りをするときには、境界マーク全体をカットしたり、境界マーク全体を糊代として利用することにより、ラベル作成後に残らないようにすることができる。したがって、印刷画像を印刷したテープＴの有用部分と無用部分との境界線を示す１種以上の境界マークを、カットや重ね貼りの際の目安として適するように、かつ、カット後にまたは重ねて貼った後に残りにくいように印刷できる。
【０１５４】
この場合、テープ印刷装置１では、任意のテープＴを印刷対象物として装着し、装着されたテープＴのテープ幅Ｔｗのうちの、印刷画像を印刷するための印刷対象領域の幅である印刷対象幅ｐおよび境界幅ｑを決定するとともに、任意のラベル幅Ｌｗを設定し（図４、図１７参照）、ラベル幅Ｌｗ、印刷対象幅ｐおよび境界幅ｑに基づいて、１種以上の境界マークを、印刷画像に付加し、１種以上の境界マークが付加された印刷画像をテープＴに印刷する。
【０１５５】
例えば図４で前述の場合、設定された任意のラベル幅Ｌｗや、印刷対象幅ｐおよび境界幅ｑに基づいて、有用部分と無用部分との境界線を示す１種以上の境界マークを境界幅ｑで印刷画像に付加して印刷する。このため、例えば図５で前述の例では画像の境界線を第１境界マークＣ１の中心線により示していたが、ここでは、その代わりに、画像の境界線を印刷画像側（基準端側：図示の上端側）の端で示して境界幅ｑを有する境界マークを（本実施形態における）第１境界マークＣ１として印刷する。すなわち、この場合、画像の境界線の外側（設定端側：図示の下端側）に境界幅ｑの第１境界マークＣ１が印刷される。同様に、図６の例に相当する例では、境界幅ｑの第１境界マークＣ１や第２境界マークＣ２が、画像の境界線の外側に付加されて印刷される。図８、図９、図１４の例に相当する例についても同様であり、境界幅ｑの第１〜第４境界マークＣ１〜Ｃ４が、画像の境界線の外側に付加されて印刷される。なお、超幅印刷回避領域を設ける場合、超幅印刷回避領域やその印刷回避幅ｄの定義が異なってくるので、この点については、図１４の例に対応する例として、さらに後述する。
【０１５６】
上述のように、本実施形態のテープ印刷装置１では、設定された任意のラベル幅Ｌｗや、印刷対象幅ｐおよび境界幅ｑに基づいて、有用部分と無用部分との境界線を示す１種以上の境界マークを境界幅ｑで印刷画像に付加して印刷するので、印刷された境界マークを目安にして、テープＴを長手方向にカットしたり、分割印刷した複数枚のテープＴを接合したりすることが容易にでき、それによって、所望の任意のラベル幅Ｌｗのラベルを作成でき、また、境界幅ｑの印刷画像側の端が境界線を示すので、カットや重ねて貼った後に境界マークが残りにくい。
【０１５７】
ここで、図１７等で前述の拡大印刷の場合も、任意の拡大率ｍを介してラベル幅Ｌｗを設定できるので、任意のラベル幅Ｌｗを設定するという概念に含まれる。このため、拡大印刷についても、任意のラベル幅Ｌｗを直接設定する場合と同様に、境界幅ｑの印刷画像側の端が境界線を示す境界マークを適用できる。この場合、任意の拡大率ｍ（ｍは１以上の実数）を設定し、設定された拡大率ｍに応じて基礎となる画像の印刷幅のｍ倍に相当する印刷幅をラベル幅Ｌｗとして決定するので、ラベル幅Ｌｗを容易に設定でき、基礎となる画像をｍ倍に拡大することにより、ラベル幅Ｌｗの印刷画像を作成するので、予め作成された印刷画像ばかりでなく、基礎となる画像を元に、ラベル幅Ｌｗの印刷画像を容易に作成できる。すなわち、通常の印刷ばかりでなく、拡大印刷にも適用でき、その場合にも、印刷された境界マークを目安にして、テープＴを長手方向にカットしたり、分割印刷した複数枚のテープＴを接合したりすることが容易にでき、設定された拡大率ｍに適したラベル幅Ｌｗのラベルを作成でき、また、境界幅ｑの印刷画像側の端が境界線を示すので、カットや重ねて貼った後に境界マークが残りにくい。
【０１５８】
また、これらの場合、テープ印刷装置１では、印刷対象幅ｐおよび境界幅ｑはテープ幅Ｔｗに対応して定められていて、装着されたテープＴのテープ幅Ｔｗを検出し、検出したテープ幅Ｔｗに応じて対応する所定の印刷対象幅ｐおよび境界幅ｑを設定する。すなわち、印刷対象幅ｐおよび境界幅ｑはテープ幅Ｔｗに対応して定められているので、装着されたテープＴのテープ幅Ｔｗを検出することにより、それに対応する所定のものを印刷対象幅ｐおよび境界幅ｑとして決定して容易に設定できる。
【０１５９】
また、テープＴのテープ幅方向両端の一方を基準端、他方を設定端としたとき、境界幅ｑを有してその基準端側の端がラベル幅Ｌｗの内側と外側との境界線を示す第１境界マークＣ１を、境界マークの１種として、印刷画像の設定端側の端の外側に隣接するように付加する。すなわち、この印刷画像を印刷したときに、その印刷画像の設定端側の端の外側に隣接するように第１境界マークＣ１が印刷され、本実施形態においても第１境界マークＣ１は、テープＴを印刷後に長手方向にカットするためのカットマークなので、ユーザは、その第１境界マークＣ１を参照して長手方向のカットを容易かつ正確に行うことができる。また、この第１境界マークＣ１は、境界幅ｑの基準端側の端によりラベル幅Ｌｗの内側と外側との境界線を示すので、カットにより設定されたラベル幅Ｌｗに適合するラベルを作成でき、第１境界マークＣ１全体をカットするので、その後にラベルの一部として残らないものとなる。
【０１６０】
また、本実施形態においても、ラベル幅Ｌｗおよび印刷対象幅ｐについて、Ｌｗ＞ｐの関係が成立するときに、印刷画像の印刷幅Ｐｗをｎ個（ｎは２以上の整数）の分割印刷幅Ｐｉ（０≦Ｐｉ≦ｐ、ここで、ｉ＝１〜ｎ、ただし、総和ΣＰｉ＝Ｐｗ）に割り当て、印刷幅Ｐｗの印刷画像を各分割印刷幅Ｐｉ（ｉ＝１〜ｎ）を有するｎ個の分割印刷画像に分割する。これにより、ｎ個の各分割印刷画像は、印刷対象幅ｐの印刷対象領域に印刷できる。また、テープＴのテープ幅方向両端の一方を基準端、他方を設定端としたときのｎ個の分割印刷画像のうちの分割印刷幅Ｐｊ（ｊ＝２〜ｎ）を有するｎ−１個の分割印刷画像の基準端側の端の外側に隣接するように、境界幅ｑを有してその設定端側の端が各分割印刷画像の基準端側の端を示す第３境界マークＣ３を、同様に、分割印刷幅Ｐｋ（ｋ＝１〜ｎ−１）を有するｎ−１個の分割印刷画像の設定端側の端の外側に隣接するように、境界幅ｑを有してその基準端側の端が各分割印刷画像の設定端側の端を示す第４境界マークＣ４を、それぞれ境界マークの１種として付加して、印刷対象領域にｎ個のうちの１個の分割印刷画像を、順次または任意に印刷する。
【０１６１】
この場合、ｊ番目の分割印刷画像の第３境界マークＣ３は、境界幅ｑの設定端側の端によりｊ−１番目との境界（ｊ番目の分割印刷画像の基準端側の端）を示し、ｋ番目の分割印刷画像の第４境界マークＣ４は、境界幅ｑの基準端側の端によりｋ＋１番目との境界（ｋ番目の分割印刷画像の設定端側の端）を示すため、それらを参照して無用部分のカット等の処理を容易に行うことができ、境界幅ｑの全体がそのカット等の対象となるので、カット等の後に残ることがなく、また、これにより、設定されたラベル幅Ｌｗに適合するラベルを作成できる。
【０１６２】
すなわち、第３境界マークＣ３および第４境界マークＣ４の双方を、テープＴを印刷後に長手方向にカットするためのカットマークとすることにより、ユーザは、境界幅ｑの第３境界マークＣ３や第４境界マークＣ４の全体をカットの対象として容易にカットすることができ、全体をカットするのでその後に残ることがない。また、第３境界マークＣ３を含めてそれより基準端側は無用部分であり、第４境界マークＣ４を含めてそれより設定端側は無用部分なので、第３境界マークＣ３により示される無用部分と第４境界マークＣ４により示される無用部分は、ラベルとして並べたときの隣接部分となる。このため、第３境界マークＣ３を、テープＴを印刷後に長手方向にカットするためのカットマークおよび糊代マークの一方とし、第４境界マークＣ４を他方とすることにより、片方をカットマークとして参照してカットし、隣接する方を糊代マークとして参照して、カットした方の端を糊代マークに合わせて上に重ねて貼れば、隣接する分割印刷画像をぴったりと接合でき、この場合も境界マークの全体をカットや重ね貼りの対象とするので、ラベルの一部としてその後に残ることがない。また、これらの場合、無用部分を全てカットして隣接したり、有用部分を隣接する無用部分に重ねて、ぴったりと貼り付けて接合した総和ΣＰｉ＝Ｐｗ＝Ｌｗなので、接合結果の幅の総計はラベル幅Ｌｗに一致し、これにより、所望のラベル幅Ｌｗのラベルを作成できる。
【０１６３】
ところで、本実施形態における上述の説明は、前述の第１、第２実施形態の場合と異なり、超幅印刷回避領域を設ける場合にも設けない場合にも適用できる。例えば図５に対応する例では、Ｔｗ−Ｌｗの無用部分の幅が境界幅ｑ以上、すなわちＴｗ≧ｑであれば、印刷回避幅ｄの有無に関係なく、境界幅ｑの第１境界マークを印刷できるので、適用できる。図６に対応する例は、そもそも印刷回避幅ｄを設けなければ、図５に対応する例と同じになる。また、図８に対応する例では、第１境界マークＣ１については、上記の図５等と同様であり、同図（ｂ）の設定端側（下端側）および同図（ｃ）の基準端側（上端側）に、印刷回避幅ｄの代わりに境界幅ｑを設ければ、そこに境界幅ｑの第３境界マークＣ３および第４境界マークＣ４を付加して印刷できるので、超幅印刷回避領域を設けない場合にも適用できる。図９に対応する例は、そもそも印刷回避幅ｄを設けなければ、図８に対応する例と同じになる。図１４で前述の例では、各境界マークを付加していない状態が図１３に示してあり、この図１３から明らかなように、印刷回避幅ｄの代わりに境界幅ｑを設ければ、超幅印刷回避領域を設けない場合にも適用できる。
【０１６４】
そこで、以下、第１、第２実施形態と同様に、超幅印刷回避領域を設ける場合について、上記の各例のうちの図１４対応のものを例に挙げて説明する。すなわち、以下で説明する画像印刷方法（および装置）は、印刷画像のテープ幅Ｔｗを超えた印刷を回避するための超幅印刷回避領域が、テープＴの幅方向両端部に所定の印刷回避幅ｄとなるように設けられ、テープ幅Ｔｗの印刷回避幅ｄを除く部分を印刷対象幅ｐ（ｐ＝Ｔｗ−２ｄ）として、テープＴの印刷対象幅ｐの印刷対象領域に印刷画像を印刷するテープ印刷装置に適用でき、もちろん、サーマル方式の本実施形態のテープ印刷装置１にも適用できる。
【０１６５】
ただし、ここでは、図２１に示すように、前述の誤差要因の影響を避けるための印刷回避幅を、印刷画像および１種以上の境界マークの双方の印刷を回避するための全印刷回避幅ｆとし、それ以外に、印刷画像の印刷を回避する反面、１種以上の境界マークの印刷は回避しない付加印刷幅ｅ（ｅ≧ｑ）を設けて、印刷回避幅ｄ＝ｅ＋ｆの印刷回避領域とする。すなわち、ここでの印刷回避幅ｄの超幅印刷回避領域は、印刷画像の印刷を回避する反面、１種以上の境界マークの印刷は回避しない付加印刷幅ｅ（ｅ≧ｑ）の付加印刷領域と、印刷画像および１種以上の境界マークの双方の印刷を回避するための全印刷回避幅ｆ（ｆ＝ｄ−ｅ）の全印刷回避領域と、を有する。これにより、印刷対象幅ｐの一部を使用しなくても境界マークを付加でき、超幅印刷回避領域を設けるテープ印刷装置１において、境界幅ｑの境界マークを付加することによる前述の各種利点を得られる。すなわち、印刷画像を印刷したテープＴの有用部分と無用部分との境界線を示す１種以上の境界マークを、カットや重ね貼りの際の目安として適するように、かつ、カット後にまたは重ねて貼った後に残りにくいように印刷できる。
【０１６６】
なお、上述の図２１の例は、前述の図１４に対応させたため、図５、図８および図１４の例と同様に、印刷画像の基準端側に印刷回避幅ｄ以上の幅の余白領域がある例であり、この場合、印刷画像の基準端側の印刷回避幅ｄ分を削除して、印刷幅Ｐｗ＝Ｌｗ−ｄの部分印刷画像を作成し、印刷対象領域の基準端側の端に部分印刷画像の基準端側の端を合わせて、部分印刷画像を印刷画像の代わりに印刷している。この場合、印刷対象となった実際の印刷幅Ｐｗ＝Ｌｗ−ｄであるが、テープＴの基準端側には、印刷回避幅ｄ分の余白があるので、元の印刷画像の基準端側の余白と一致させることができ、超幅印刷回避領域を設けずに印刷幅Ｐｗ＝Ｌｗの印刷画像をそのまま印刷したときと、同等の印刷結果が得られる。
【０１６７】
もちろん、前述の図６や図９の例に対応させて、印刷画像の基準端側の余白領域の幅が印刷回避幅ｄ未満のときにも適用できる。すなわち、テープＴのテープ幅方向両端の一方を基準端、他方を設定端としたときの印刷画像の基準端側の余白領域の幅が印刷回避幅ｄ未満のときに、境界マークの１種として、境界幅ｑを有してその設定端側の端が印刷画像の基準端側の端を示す第２境界マークＣ２を、印刷画像の基準端側の端の外側に隣接するように付加し、印刷対象領域の基準端側の端に印刷画像の基準端側の端を合わせて、印刷幅Ｐｗ＝Ｌｗの印刷画像を印刷する。このため、この印刷画像を印刷したときに、その印刷画像の基準端側の端の外側に隣接するように第２境界マークＣ２が印刷される。ここで、本実施形態のおいても前述の実施形態と同様に、第２境界マークＣ２は、テープＴを印刷後に長手方向にカットするためのカットマークである。この第２境界マークＣ２は、印刷画像の基準端側の端、すなわちラベル幅Ｌｗの内側と外側との境界線を示すものであり、印刷画像を印刷したときに印刷されるので、ユーザは、その第２境界マークＣ２を参照してカットすることにより、設定されたラベル幅Ｌｗに適合するラベルを作成でき、境界幅ｑの全体が対象となるので、ラベルの一部に残ることがない。
【０１６８】
また、上述の図２１の例では、図１４に対応して、最後の（図２１の例ではｉ＝３の（ｃ）の設定端（下端）側の）印刷回避幅ｄがラベルの設定端（下端）側の余白の一部として代用でき、第１境界マークＣ１を省略できる例なので、第１境界マークＣ１も付加されていないが、図５、図６、図８および図９に対応した例を示せば、同様に第１境界マークＣ１が付加されて印刷されることになる。これらの場合でも、この第１境界マークＣ１は、印刷画像の設定端側の端、すなわちラベル幅Ｌｗの内側と外側との境界線を示すものであり、印刷画像を印刷したときに印刷されるので、ユーザは、その第１境界マークＣ１を参照してカットすることにより、設定されたラベル幅Ｌｗに適合するラベルを作成でき、境界幅ｑの基準端側の端によりラベル幅Ｌｗの内側と外側との境界線を示すので、第１境界マーク全体をカットすることにより、その後にラベルの一部として残らないものとなる。
【０１６９】
なお、上述した第１〜第３の実施形態における分割印刷の例の場合には、第３境界マークＣ３および第４境界マークＣ４の双方を付加して印刷し、一方をカットマークとしてカットし、他方を糊代マークとして重ね貼りの目安とする例を挙げたが、一方のカットが正確に実行でき、文字列の印刷結果等の関係から糊代が明確に分かるような場合には、糊代マークとなる側の境界マークの付加およびその印刷を省略しても良い。例えば上述の図２１の例の場合、図２２に示すように、第４境界マークＣ３側の付加およびその印刷を省略しても、第４境界マークＣ４側が明確なので正確にカットし易く、また、文字列「１２３Ａ」のいずれも分割対象となり、図２１の場合の第３境界マーク（この場合の糊代マーク）Ｃ３で示すべく境界線が容易かつ比較的正確にイメージできるので、図２２に示すように、第３境界マークの付加およびその印刷を省略しても良い。また、このような場合、境界マークを省略する側（図２２の例の基準端（上端）側）の付加印刷幅ｅを省略し、印刷画像および１種以上の境界マークの双方の印刷を回避するための全印刷回避幅ｆのみとして、すなわち第１および第２実施形態と同様に、印刷回避幅ｄ＝ｆとして、その省略した付加印刷幅ｅ分だけ、印刷対象幅ｐを広げることもできる。
【０１７０】
そして、テープ印刷装置１はサーマル方式のテープ印刷装置であるため、超幅印刷回避領域を設けることになるが、上述のように、超幅印刷回避領域を設けない場合と同等の、任意に設定された（または任意に設定された拡大率ｍに適合する）ラベル幅Ｌｗのラベル等を作成できる。
【０１７１】
なお、上述の実施形態では、サーマル方式のテープ印刷装置の例を挙げたが、他の方式においても、超幅印刷回避領域を設けるテープ印刷装置であれば、同様に適用できる。もちろん、その他、本発明の要旨を逸脱しない範囲で、適宜変更も可能である。
【０１７２】
【発明の効果】
上述のように、本発明のテープ印刷装置の画像印刷方法およびその装置によれば、テープの幅方向両端部に所定の印刷回避幅の超幅印刷回避領域を設けて印刷画像を印刷しつつ、超幅印刷回避領域を設けない場合と同等の任意幅のラベル等を作成できる、などの効果がある。
【図面の簡単な説明】
【図１】本発明の一実施形態に係る画像印刷方法およびその装置を適用したテープ印刷装置１の制御系のブロック図である。
【図２】図１のテープ印刷装置の制御全体の概念的処理を示すフローチャートである。
【図３】画像印刷のための表示画面およびその表示画面上での典型的な操作の一例を示す説明図である。
【図４】ラベル幅を設定する操作の一例を示す、図３と同様の説明図である。
【図５】作成対象のラベルとそのための画像印刷の印刷結果との関係の一例を示す説明図である。
【図６】別の例を示す、図５と同様の説明図である。
【図７】分割印刷の場合の印刷指示操作のときの一例を示す、図３と同様の説明図である。
【図８】図７に対応して、さらに別の一例を示す、図５と同様の説明図である。
【図９】図７に対応して、さらに別の一例を示す、図５と同様の説明図である。
【図１０】従来の問題点の一例を示す説明図である。
【図１１】さらに別の問題点の一例を示す、図１０と同様の説明図である。
【図１２】作成対象のラベルの別の一例を示す説明図である。
【図１３】図１２のラベルを作成するための画像印刷の印刷結果の問題点の一例を示す説明図である。
【図１４】図１３の問題点を解決するための分割印刷画像の印刷結果の一例を示す説明図である。
【図１５】図１３の印刷結果の分割印刷画像を一部重ねて貼ることによりラベルを作成するための概念的な説明図である。
【図１６】別の例を示す、図１５と同様の説明図である。
【図１７】拡大印刷の場合の拡大率を設定する操作の一例を示す、図３と同様の説明図である。
【図１８】図１７に続く、図１７と同様の説明図である。
【図１９】境界マークの種々の例を示す説明図である。
【図２０】文字部分と境界マークとの関係の一例をイメージ的に示す説明図である。
【図２１】図１９（ｇ）の境界マークを採用して、さらに別の例を示す、図１４と同様の説明図である。
【図２２】さらに別の例を示す、図２１と同様の説明図である。
【符号の説明】
１      テープ印刷装置
３      キーボード
４      ディスプレイ
５      テープカートリッジ
７      印刷ヘッド
１１    操作部
１２    印刷部
１３    切断部
１４    検出部
４１    表示画面
２００  制御部
２１０  ＣＰＵ
２２０  ＲＯＭ
２３０  キャラクタジェネレータＲＯＭ（ＣＧ−ＲＯＭ）
２４０  ＲＡＭ
２５０  入出力制御回路（ＩＯＣ）
２６０  内部バス
２７０  駆動部
２８０  外部メモリ装着部
２９０  電源部
Ｔ      テープ
【図１】
0003716671.tif 000002
【図２】
0003716671.tif 000003
【図３】
0003716671.tif 000004
【図４】
0003716671.tif 000005
【図５】
0003716671.tif 000006
【図７】
0003716671.tif 000007
【図８】
0003716671.tif 000008
【図９】
0003716671.tif 000009
【図１０】
0003716671.tif 000010
【図１１】
0003716671.tif 000011
【図１２】
0003716671.tif 000012
【図１３】
0003716671.tif 000013
【図１４】
0003716671.tif 000014
【図１５】
0003716671.tif 000015
【図１６】
0003716671.tif 000016
【図１７】
0003716671.tif 000017
【図１８】
0003716671.tif 000018
【図１９】
0003716671.tif 000019
【図２０】
0003716671.tif 000020
【図２１】
0003716671.tif 000021
【図２２】
0003716671.tif 000022
【図６】
0003716671.tif 000023